(57)【要約】【課題】  遊技球による可変入賞口装置の破損及び経時変化を回避することができる遊技機を提供する。【解決手段】  第一開閉装置３９８は、上面開口が第一大入賞口３９８ａとして形成された下ケーシング５６２と、第一大入賞口３９８ａを進退移動によって開閉する第一大入賞口開閉扉３９８ｂと、第一大入賞口開閉扉３９８ｂを進退可能に支持する上ケーシング５６４と、駆動伝達部材５７０を介して第一大入賞口開閉扉３９８ｂを進退移動させる第一大入賞口開閉ソレノイド５６８と、を備え、第一大入賞口開閉扉３９８ｂのスライド突部３９９ｂは、上ケーシング５６４のスライド支持部３９９ａに遊嵌した状態で係合される。これにより、遊技球による第一開閉装置３９８の破損及び経時変化を回避することができ、ひいては第一大入賞口３９８ａの開閉動作に支障を来すことを回避できる。【選択図】        図４６
2008307315.tif 000002
【特許請求の範囲】
【請求項１】
遊技領域が区画形成された遊技盤と、操作ハンドルの操作に応じて前記遊技領域内に遊技球を発射する球発射手段と、前記遊技領域内に配置されて遊技球の入賞が可能な入賞口と、該入賞口に遊技球が入賞したことを検出する入賞検出手段と、該入賞検出手段による遊技球の検出に応じて所定数の遊技球を払い出す球払出手段と、を備えた遊技機であって、
前記入賞口は、所定条件の成立に基づいて閉鎖状態から開放状態に移行して遊技球の入賞を可能にする可変入賞口装置の可変入賞口を含み、
前記可変入賞口装置は、
前記遊技領域を流下する遊技球の受け入れを可能にする上面開口が前記可変入賞口として形成された球受入部材と、
前記可変入賞口を上方で被覆する前記閉鎖状態と前記可変入賞口の上方被覆を解除する前記開放状態との間で前後方向に進退可能に設けられる開閉扉部材と、
該開閉扉部材を進退可能に支持する進退支持部材と、
前記開閉扉部材の進退移動の電気的駆動源となる開閉駆動源と、
前記開閉扉部材と連結されて前記開閉駆動源の駆動力を前記開閉扉部材に伝達する駆動伝達部材と、を備え、
前記開閉扉部材は、前記可変入賞口を開閉する開閉扉部と、その後方に延びて前記駆動伝達部材との連結部が形成された支持部とを有し、
前記開閉扉部の左右両端には、それぞれスライド突部が突設され、
前記進退支持部材には、前記左右のスライド突部を個々に挿入係合して前記開閉扉部材の進退方向を規制する断面コ字形状のスライド支持部が左右一対に設けられ、
前記開閉扉部材の前記スライド突部は、前記進退支持部材の前記スライド支持部に遊嵌した状態で係合されることを特徴とする遊技機。
【発明の詳細な説明】
【技術分野】
【０００１】
本発明は、遊技領域が区画形成された遊技盤と、操作ハンドルの操作に応じて前記遊技領域内に遊技球を発射する球発射手段と、前記遊技領域内に配置されて遊技球の入賞が可能な入賞口と、該入賞口に遊技球が入賞したことを検出する入賞検出手段と、該入賞検出手段による遊技球の検出に応じて所定数の遊技球を払い出す球払出手段と、を備えた遊技機に関するものである。
【背景技術】
【０００２】
従来、一般に、遊技機としてのパチンコ機では、遊技盤に区画形成された遊技領域内に遊技球を打ち込み、該遊技球が遊技領域の所定部位に配置された入賞口に入賞すると、入賞毎に予め設定された数の賞球を遊技者に付与することで遊技を行うようになっていた。また、このようなパチンコ機では、例えば、特開２００５−２４５６４５号公報（特許文献１）に示されるように、所定条件の成立に基づいて閉鎖状態から開放状態に移行して大量の遊技球の入賞を可能にする大入賞口装置（可変入賞口装置）の大入賞口（可変入賞口）を入賞口として遊技領域内に設けたものが提案されている。
【特許文献１】特開２００５−２４５６４５号公報（図２）
【発明の開示】
【発明が解決しようとする課題】
【０００３】
ところで、上記特許文献１のような大入賞口装置では、遊技盤の前面（遊技領域を構成する面）と同一平面内に大入賞口を設け、該大入賞口の下辺部分に軸支持部を介して回動自在に長板形状の蓋体を設けていた。そして、蓋体の回動動作によって大入賞口の開閉を行い、大入賞口の開放時には、回動動作によって傾動した蓋体の内壁面を球受け面として大入賞口内への遊技球の入賞を可能にしていた。しかしながら、このような構成では、大入賞口の開放時、傾動した蓋体に対して大量の遊技球が落下することになるが、落下する遊技球の衝撃力は、蓋体を回動自在に支持する軸支持部に集中してかかることになる。従って、蓋体の軸支持部に破損や経時変化が生じ易くなり、最悪の場合、このことから大入賞口の開閉動作に支障が来す虞があった。本発明は、上記した事情に鑑みなされたもので、その目的とするところは、遊技球による可変入賞口装置の破損及び経時変化を回避することができる遊技機を提供することにある。
【課題を解決するための手段】
【０００４】
（解決手段１）
上記目的を達成するために、本発明の遊技機は、遊技領域が区画形成された遊技盤と、操作ハンドルの操作に応じて前記遊技領域内に遊技球を発射する球発射手段と、前記遊技領域内に配置されて遊技球の入賞が可能な入賞口と、該入賞口に遊技球が入賞したことを検出する入賞検出手段と、該入賞検出手段による遊技球の検出に応じて所定数の遊技球を払い出す球払出手段と、を備えた遊技機であって、前記入賞口は、所定条件の成立に基づいて閉鎖状態から開放状態に移行して遊技球の入賞を可能にする可変入賞口装置の可変入賞口を含み、前記可変入賞口装置は、前記遊技領域を流下する遊技球の受け入れを可能にする上面開口が前記可変入賞口として形成された球受入部材と、前記可変入賞口を上方で被覆する前記閉鎖状態と前記可変入賞口の上方被覆を解除する前記開放状態との間で前後方向（遊技盤の盤面に対してほぼ直交する方向）に進退可能に設けられる開閉扉部材と、該開閉扉部材を進退可能に支持する進退支持部材と、前記開閉扉部材の進退移動の電気的駆動源となる開閉駆動源と、前記開閉扉部材と連結されて前記開閉駆動源の駆動力を前記開閉扉部材に伝達する駆動伝達部材と、を備え、前記開閉扉部材は、前記可変入賞口を開閉する開閉扉部と、その後方に延びて前記駆動伝達部材との連結部が形成された支持部とを有し、前記開閉扉部の左右両端には、それぞれスライド突部が突設され、前記進退支持部材には、前記左右のスライド突部を個々に挿入係合して前記開閉扉部材の進退方向を規制する断面コ字形状のスライド支持部が左右一対に設けられ、前記開閉扉部材の前記スライド突部は、前記進退支持部材の前記スライド支持部に遊嵌した状態で係合されることを特徴とする。
この場合、所定条件の成立に基づいて可変入賞口装置を開放する場合、開閉駆動源の駆動によって開閉扉部材を退行させて球受入部材の上面開口となる可変入賞口を開放する。これにより、可変入賞口装置（可変入賞口）に入賞する遊技球は、可変入賞口が形成された球受入部材に受け止められることになる。従って、従来のように傾動した蓋体に対して大量の遊技球が落下し、その衝撃力が蓋体を回動自在に支持する軸支持部に集中してかかるようなことがない。このため、遊技球による可変入賞口装置の破損及び経時変化を回避することができ、ひいては可変入賞口の開閉動作に支障を来すことを回避できる。
また、開閉扉部材（開閉扉部）のスライド突部を進退支持部材のスライド支持部に係合することで開閉扉部材の進退方向を規制することができ、ひいては開閉扉部材のスムーズな進退移動、言い換えれば可変入賞口のスムーズな開閉を行うことができる。
また、この構成によれば、進退移動によって可変入賞口を開閉する開閉扉部材は、該開閉扉部材の進退方向を規制する進退支持部材のスライド支持部に対して、スライド突部が遊嵌した状態で係合される。このため、可変入賞口装置の閉鎖状態において、遊技領域を流下する遊技球が可変入賞口を閉鎖する開閉扉部材に落下するような場合でも、開閉扉部材にかかる遊技球の衝撃力は、進退支持部材のスライド支持部と開閉扉部材のスライド突部との遊嵌係合部分で吸収されて直接的に駆動伝達部材乃至開閉駆動源にかかることがない。従って、可変入賞口装置の閉鎖時でも、遊技球による可変入賞口装置の破損及び経時変化を回避することができ、可変入賞口の開閉動作に支障を来すことがない。
【０００５】
（解決手段２）
解決手段１において、前記開閉駆動源は、上下方向に進退可能とされたプランジャーを有したソレノイドから構成され、前記駆動伝達部材は、前記ソレノイドにより上下方向に駆動される前記プランジャーの動きを前後方向の動きに変換して前記開閉扉部材を前後方向にスライドさせる。
この場合、ソレノイドのプランジャーの進退移動を開閉扉部材の進退移動に変換して可変入賞口を開閉する構成にできる。このため、迅速に且つ確実に可変入賞口を開閉することができる。
【０００６】
（解決手段３）
解決手段２において、前記プランジャーは、前記ソレノイドの下側から進退するように配置されている。
この場合、可変入賞口の閉鎖時には、ソレノイドの励磁を停止することでプランジャーを進出状態に維持して開閉扉部材を進出させて可変入賞口を閉鎖する。一方、可変入賞口の開放時には、ソレノイドを励磁してプランジャーを退行させることで開閉扉部材を退行させて可変入賞口を開放する。これにより、所定条件の成立がなく可変入賞口を開放しない通常の遊技状態では、ソレノイドの励磁を停止した状態にできるので、経済的に可変入賞口装置（開閉扉部材）の開閉動作を行うことができる。
【０００７】
（解決手段４）
解決手段１乃至解決手段３において、前記球受入部材は、前記可変入賞口装置をユニット化するための下ケーシングから構成され、前記進退支持部材は、前記下ケーシングの上側に組み付けられて前記可変入賞口装置をユニット化するための上ケーシングから構成され、前記開閉駆動源及び前記駆動伝達部材は、それぞれ前記下ケーシングと前記上ケーシングとの間に形成される収容空間内に収容して取り付けられる。
この場合、上ケーシングと下ケーシングとの間に形成される収容空間内に可変入賞口装置の各種構成部材を収容してユニット化することができるので、可変入賞口装置の着脱作業が容易にできる。
【０００８】
（解決手段５）
解決手段４において、前記下ケーシングには、前記可変入賞口内に入賞した遊技球を前記可変入賞口装置の外部に排出するための排出口が形成され、該排出口には、前記入賞検出手段としての球検出センサが設けられている。
この場合、下ケーシングの排出口から排出される遊技球を球検出センサで検出することで、可変入賞口に入賞した遊技球を検出することができる。また、この構成によれば、球検出センサを下ケーシングに設けることで、球検出センサを可変入賞口装置の構成部材としてユニット化することができる。
【０００９】
（解決手段６）
解決手段１乃至解決手段５において、前記駆動伝達部材は、前記開閉扉部材との連結係合によって前記開閉駆動源の駆動力を前記開閉扉部材に伝達する連結突片部を有し、前記開閉扉部材は、前記連結突片部を挿入係合することで前記駆動伝達部材から伝達される前記開閉駆動源の駆動力を前記可変入賞口の開閉動作となる進退動作に変換する連結口を有し、前記駆動伝達部材の前記連結突片部は、前記開閉扉部材の前記連結口に遊嵌した状態で係合される。
この場合、開閉駆動源の駆動力を開閉扉部材に伝達する駆動伝達部材は、開閉扉部材との連結部位となる連結突片部が開閉扉部材側の連結口に対して遊嵌した状態で係合される。このため、可変入賞口装置の閉鎖状態において、遊技領域を流下する遊技球が可変入賞口を閉鎖する開閉扉部材に落下するような場合でも、開閉扉部材にかかる遊技球の衝撃力は、連結突片部と連結口との遊嵌係合部分で吸収されて直接的に駆動伝達部材乃至開閉駆動源にかかることがない。従って、可変入賞口装置の閉鎖時でも、遊技球による可変入賞口装置の破損及び経時変化を回避することができ、可変入賞口の開閉動作に支障を来すことがない。
【００１０】
（解決手段７）
解決手段６において、前記駆動伝達部材の前記連結突片部は、前後方向に進退可能に設けられた前記開閉扉部材の前記連結口に対して上下方向に挿入係合される。
この場合、前後方向に進退移動する開閉扉部材に対して駆動伝達部材の連結突片部が上下方向に挿入係合されることで、可変入賞口の閉鎖時に遊技球が開閉扉部材に落下するような場合でも、開閉扉部材にかかる遊技球の衝撃力が直接的に駆動伝達部材かかることを回避することができ、遊技球による可変入賞口装置の破損及び経時変化を回避することができる。
【００１１】
（解決手段８）
解決手段６又は解決手段７において、前記開閉扉部材は、前記開閉扉部とその後方に延びる前記支持部とを有して全体として平面視Ｔ字形状をなし、前記連結口が前記支持部の後端側に形成されている。
この場合、開閉扉部材を平面視Ｔ字形状に形成することで、駆動伝達部材との連結部分（支持部）を極力小さくして、可変入賞口の開口面積（開閉扉部の面積）を大きくとることができ、ひいては開閉扉部材を効率の良い形状とすることで可変入賞口装置の設計自由度を高めることができる。
【００１２】
（解決手段９）
解決手段１乃至解決手段８において、前記可変入賞口の前側には、前面開口が形成され、前記前面開口の直前には、当該前面開口から前記可変入賞口内へ遊技球が入らないように、前記遊技領域を前方から視認可能に被覆する透明板が配置されている。
この場合、可変入賞口の前側に前面開口を設けることで、上面開口となる可変入賞口に入賞する遊技球を遊技者側から視認可能にできるので、可変入賞口への入賞に対する遊技者の不信感を取り除くことができる。
【００１３】
（解決手段１０）
解決手段１乃至解決手段９において、前記遊技領域内に配置されて遊技球の入賞が可能な始動入賞口と、該始動入賞口に遊技球が入賞したことを検出する始動検出手段と、該始動検出手段による遊技球の検出に基づいて遊技者に利益を付与すべきか否かの判定を行う当落判定手段と、前記遊技領域内に配置されて前記当落判定手段による判定結果を表示する表示手段と、前記当落判定手段により遊技者に利益を付与すべき判定がなされたことに基づいて遊技者に利益を付与する利益付与状態に制御する利益付与状態制御手段と、を備え、前記利益付与状態制御手段は、前記可変入賞口に大量の遊技球が入賞し得るように、前記可変入賞口を所定の態様で前記閉鎖状態から前記開放状態に移行させて前記利益付与状態に制御する。
この場合、始動入賞口への入賞に伴って当落判定を行い、当該当落判定の結果を表示手段に表示すると共に当りの判定結果となったときに利益付与状態に制御して遊技者に利益を付与する構成において、可変入賞口への入賞に伴って大量の賞球を遊技者に払い出すことを利益付与状態として遊技者に付与することができる。
【００１４】
（解決手段１１）
解決手段１０において、前記表示手段の外周部分を装飾する前面装飾部材を備え、前記可変入賞口装置は、前記表示手段の上側部分を装飾する前記前面装飾部材の上辺部に配置される。
この場合、可変入賞口装置を前面装飾部材の上辺部に配置することで、例えば、可変入賞口装置内に入賞した遊技球を前面装飾部材の側辺部に設けられる振分手段で振り分けて、該遊技球の振り分けに応じて利益付与状態に伴う遊技価値を異ならせる等の構成とすることができる。また、このような構成とした場合、可変入賞口装置は遊技球の打ち込みが行われる遊技領域の上側に配置されることになり、可変入賞口装置が遊技領域を流下する遊技球の衝撃力をもろに受けることになるが、本発明の構成を採用することで遊技球による可変入賞口装置の破損及び経時変化を回避することができる。
【００１５】
（解決手段１２）
解決手段１乃至解決手段１１において、前記遊技機は、パチンコ遊技機であることを特徴とする。
なお、パチンコ遊技機の基本構成としては、操作手段の操作に応じて遊技球を遊技領域に打ち込み、該打ち込んだ遊技球が遊技領域内に設けられた始動口に入賞することを条件として図柄表示手段で図柄情報の変動表示を行い、図柄情報の表示結果を停止表示するものである。また、利益付与状態（例えば、大当り遊技状態）の発生時には、遊技領域内に設けられた大入賞口を所定態様で開放して遊技球の入賞を可能にし、その入賞に基づいて遊技者に遊技特典（例えば、賞球の付与や磁気カードへのポイントの書き込み等）を付与するものである。
【発明の効果】
【００１６】
本発明の構成によれば、遊技球による可変入賞口装置の破損及び経時変化を回避することができ、可変入賞口の開閉動作に支障を来すことがない。
【発明を実施するための最良の形態】
【００１７】
以下、本発明の一実施形態である遊技機（以下、単に「パチンコ機」と称する。）について、各図を参照しつつ説明する。
［パチンコ機の全体構成について］図１および図２を参照しつつ説明する。
【００１８】
図１は、パチンコ機の外枠の一側に本体枠が開かれその本体枠の一側に前面枠が開かれた状態を示す斜視図である。図２は、パチンコ機の前側全体を示す正面図である。なお、図１および図２では、遊技領域における装飾部材を省略して図示している。
【００１９】
パチンコ機１は、外枠２、本体枠３、前面枠４および遊技盤５等を備えて構成されている。外枠２は、上下左右の木製の枠材によって縦長四角形の枠状に形成され、同外枠２の前側下部には、本体枠３の下面を受ける下受板６を有している。外枠２の全面の片側には、ヒンジ機構７によって本体枠３が前方に開閉自在に装着されている。なお、外枠２は、樹脂やアルミニウム等の軽金属によって形成されていてもよい。
［本体枠の構成について］図２および図３を参照しつつ説明する。
【００２０】
図３は、パチンコ機の本体枠と遊技盤とを分離して斜め右上前方から示す斜視図である。
【００２１】
本体枠３は、前枠体１１、遊技盤装着枠１２および機構装着体１３を合成樹脂等によって一体成形することで構成されている。本体枠３の前枠体１１は、外枠２（図１参照）の前側の下受板６を除く外郭形状に対応する大きさの矩形枠状に形成されている。前枠体１１の片側の上下部には、本体枠側ヒンジ具１５が固定されており、外枠２の片側の上下部に固定された外枠側ヒンジ具１４に対してヒンジピンおよびヒンジ孔によって開閉回動自在に装着されている。即ち、外枠側ヒンジ具１４、本体枠側ヒンジ具１５、ヒンジピンおよびヒンジ孔によってヒンジ機構７が構成されている。
【００２２】
前枠体１１の前側において、遊技盤装着枠１２よりも下方に位置する前枠体１１の前下部左側領域にはスピーカボックス部１６が一体に形成され、そのスピーカボックス部１６の前側開口部には、同開口部を塞ぐようにしてスピーカ装着板１７が装着されている。そして、スピーカ装着板１７にはスピーカ１８が装着されている。
【００２３】
前枠体１１前面の下部領域内において、その上半部分には発射レール１９が傾斜状に装着されている。また、前枠体１１前面の下部領域内の下半部分には下部前面板３０が装着されている。そして、下部前面板３０の前面の略中央部には、遊技球を貯留可能な下皿３１が設けられ、右側寄りには操作ハンドル３２が設けられ、左側寄りには灰皿３３が設けられている。なお、下皿３１には、遊技球を下方に排出するための球排出レバー３４が配設されている。
［前面枠の構成について］図１および図２を参照しつつ説明する。
【００２４】
前枠体１１の前面の片側には、その前枠体１１の上端から下部前面板３０の上縁にわたる部分を覆うようにして、前面枠４がヒンジ機構３６によって前方に開閉可能に装着されている。
【００２５】
前面枠４の略中央部には、遊技盤５の遊技領域３７を前方から透視可能な略円形の開口窓３８が形成されている。前面枠４の後側には開口窓３８よりも大きな矩形枠状をなす窓枠３９が設けられ、その窓枠３９には透明板（例えば、ガラス板等）、透明樹脂板等の透明板５０が装着されている。前面枠４の前面の略全体は、ランプ等が内設された前面装飾部材によって装飾され、同前面枠４の前面の下部には上皿５１が形成されている。詳しくは、開口窓３８の周囲において、左右両側部にサイド装飾装置５２が、下部に上皿５１が、上部に音響電飾装置５３が、それぞれ装着されている。
【００２６】
サイド装飾装置５２は、ランプ駆動基板が内部に配置され且つ合成樹脂材によって形成されたサイド装飾体５４を主体として構成されている。サイド装飾体５４には、横方向に長いスリット状の開口孔が上下方向に複数配列されており、この開口孔には、ランプ駆動基板に配置された光源に対応するレンズ５５が組み込まれている、音響電飾装置５３は、透明カバー体５６、スピーカ５７、スピーカカバー５８およびリフレクタ体（図示せず）等を備え、これらの構成部材が相互に組み付けられてユニット化されている。
【００２７】
また、上皿５１の前面左側には、ボタン６０が設けられている。このボタン６０は、遊技者自身が押下可能に構成されている。遊技者がこのボタン６０を押下すると、後述する演出表示装置１１５における演出表示に、遊技者の意思を反映することができる。なお、このボタン６０に代えて、レバーまたはスイッチであってもよい。また、遊技者の音声を受け付ける音声入力手段であってもよい。即ち、遊技者の意思を反映できるものであれば良い。
［施錠装置の構成について］図１および図３を参照しつつ説明する。
【００２８】
前枠体１１のヒンジ機構３６に対して反対側となる自由端側の後側には、外枠２に対し本体枠３を施錠する機能と、本体枠３に対し前面枠４を施錠する機能とを兼ね備えた施錠装置７０が装着されている。
【００２９】
即ち、この実施形態において、施錠装置７０は、外枠２に設けられた閉止具７１に係脱自在に係合して本体枠３を閉じ状態に施錠する上下複数の本体枠施錠フック７２と、前面枠４の自由端側の後側に設けられた閉止具７３に係脱自在に係合して前面枠４を閉じ状態に施錠する上下複数の扉施錠フック７４と、パチンコ機１の前方から鍵が挿入されて解錠操作可能に、前枠体１１および下部前面板３０を貫通して露出されたシリンダー錠７５と、を備えている。そして、シリンダー錠７５の鍵穴に鍵が挿入されて一方向に回動操作されることで本体枠施錠フック７２と外枠２の閉止具７１との係合が外れて本体枠３が解錠され、これとは逆方向に回動操作されることで、扉施錠フック７４と前面枠４の閉止具７３との係合が外れて前面枠４が解錠されるようになっている。
［遊技盤装着枠の構成について］図１、図３および図４を参照しつつ説明する。
【００３０】
図４は、パチンコ機の後側全体を示す背面図である。図１および図３に示すように、本体枠３の遊技盤装着枠１２は、前枠体１１の後側に設けられかつ遊技盤５が前方から着脱交換可能に装着されるようになっている。
【００３１】
遊技盤５は、遊技盤装着枠１２の前方から嵌込まれる大きさの略四角板状に形成されている（図１１参照）。遊技盤５の盤面（前面）には、外レール７６と内レール７７とを備えた案内レール７８が設けられ、その案内レール７８の内側に遊技領域３７が区画形成されている。
【００３２】
なお、発射レール１９と案内レール７８との間には、所定の間隙が設けられており、発射された遊技球が案内レール７８を逆戻りした場合には、その遊技球は、その間隙から排出され、下皿３１に案内されるように構成されている。
【００３３】
また、遊技盤５の前面には、その案内レール７８の外側領域において、合成樹脂製の前構成部材７９が装着されている。
【００３４】
一方、図４に示すように、遊技盤５の後側下部には、その中央部から下部にわたる部分において、各種入賞装置に流入した遊技球を受けかつその遊技球を所定位置まで導く集合樋としての機能とボックス装着部としての機能を兼ね備えたボックス装着台１１８が設けられている。
【００３５】
ボックス装着台１１８には、音声制御基板、ランプ制御基板等の副制御基板１１９が収納された副制御基板ボックス１３０が装着され、その副制御基板ボックス１３０の後側に重ね合わされた状態で、主制御基板１３１が収納された主制御基板ボックス１３２が装着されている。
【００３６】
さらに、遊技盤５の後側に対しボックス装着台１１８、副制御基板ボックス１３０および主制御基板ボックス１３２がそれぞれ装着された状態において、本体枠３の遊技盤装着枠１２の前方から遊技盤５を嵌込んで装着できるように、遊技盤５の外郭より外側にはみ出すことなくボックス装着台１１８、副制御基板ボックス１３０および主制御基板ボックス１３２が配置されている。
［本体枠の機構装着体、球タンクおよびタンクレールの構成について］図７および図８を参照しつつ説明する。
【００３７】
図７は、パチンコ機の本体枠に各種部材が組み付けられた状態を斜め右上後方から示す斜視図であり、図８は、本体枠単体を斜め右上後方から示す斜視図である。
【００３８】
本体枠３の機構装着体１３には、タンク装着部１３３、レール装着部１３４および払出装置装着部１３５等がそれぞれ形成され、タンク装着部１３３には球タンク１３６が装着されている。
【００３９】
球タンク１３６は、透明な合成樹脂材よりなり、島設備から供給される多数の遊技球が貯留可能な上方に開口する箱形状に形成されている。そして、球タンク１３６の遊技球の貯留状態が球タンク１３６の後側壁を透して視認可能となっている。
【００４０】
また、球タンク１３６の底板部１３７の後側隅部には遊技球を放出する放出口１３８が形成されるとともに、底板部１３７は放出口１３８に向けて下傾する傾斜面に形成されている。
【００４１】
本体枠３の機構装着体１３には、そのタンク装着部１３３に下方に接近してレール装着部１３４が一体に形成され、そのレール装着部１３４にレール構成部材１３９が装着されることでタンクレール１５０が構成されるようになっている。即ち、この実施形態において、レール装着部１３４は、本体枠３の上部横方向部分が所定深さ凹まされた状態で形成されており、その凹部の奥側壁をタンクレール１５０の前壁部１５１とし、その凹部の下縁部に沿って一端（図８に向かって左側）から他端（図８に向かって右端）に向けて下傾する傾斜状のレール棚１５５が形成されている。そして、レール棚１５５の横方向に伸びる上向き面をレール受け部１５８としている。
【００４２】
レール装着部１３４に装着されてタンクレール１５０を構成するレール構成部材１３９は、レール装着部１３４の前壁部１５１との間にレール通路を構成する後壁部１５２と、傾斜状をなす下板部と、その下板部の上面の前後方向中央部に沿って突設されレール通路を前後複数列（この実施形態では前後２列）に区画する仕切り壁（いずれも図示せず）とを一体に備えて形成されている。
【００４３】
レール構成部材１３９は、レール装着部１３４に対し適宜の取付手段によって装着され、これによって、前後複数列のレール通路を備えたタンクレール１５０が構成されている。そして、球タンク１３６の放出口１３８から放出（自重によって落下）された遊技球がタンクレール１５０の前後複数列のレール通路の一端部においてそれぞれ受けられた後、遊技球が自重によってレール通路に沿って転動することでレール通路の他端部に向けて流れるようになっている。
【００４４】
また、この実施形態において、レール構成部材１３９は、透明な合成樹脂材より形成され、これによって、レール通路内の遊技球の流れ状態が、レール構成部材１３９の後壁部１５２を透して視認可能となっている。
【００４５】
タンクレール１５０（レール装着部１３４）の前壁部１５１は、遊技盤５の後側に突出する装備品（例えばセンター役物３００）における後部の上端部との干渉を避けるため第一空間部を隔てた状態で設けられている。
【００４６】
また、この実施形態において、本体枠３の後端部となるレール棚１５５の後端と、タンクレール１５０の後壁部は、球タンク１３６の後側壁と略同一面をなしている。換言すれば、球タンク１３６の後壁部に対しタンクレール１５０の後壁部が略同一面となる位置までタンクレール１５０が遊技盤５の後面より後方に離隔して配置されている。これによって、遊技盤５の後側とタンクレール１５０の前壁部１５１との間にセンター役物３００の後部との干渉を避けるための第一空間部が設けられるようになっている。
【００４７】
タンクレール１５０の上方には、レール通路を流れる遊技球を上下に重なることなく整列させる整流体１５６がその上部において軸１５７を中心として揺動可能に装着されている。この整流体１５６には、その中央部から下部において錘が設けられている。
［払出装置装着部および球払出装置の構成について］図７および図８を参照しつつ説明する。
【００４８】
本体枠３の機構装着体１３の片側寄りの上下方向には、次に述べる球払出装置（球払出ユニット）１７０に対応する縦長の払出装置装着部１３５が形成されている。払出装置装着部１３５は、後方に開口部をもつ凹状に形成されている。
【００４９】
また、払出装置装着部１３５の段差状をなす奥壁部（図示しない）の所定位置には、球払出装置１７０の払出用モータ１７２（図３参照）が突出可能な開口部１７３が形成されている。
【００５０】
払出装置装着部１３５の凹部に球払出装置１７０が装着された状態において、遊技盤５との間には、第一空間部と前後方向に略同一レベルとなる第二空間部が設けられている。これによって、レール通路と球通路とが前後方向に略同一レベルで配置されている。
【００５１】
また、本体枠３の後端、即ち、払出装置装着部１３５の周壁部後端、レール棚１５５の後端、球タンク１３６、タンクレール１５０および球払出装置１７０のそれぞれの後面は略同一面をなしている。
【００５２】
球払出装置１７０は、払出装置装着部１３５の凹部と略同じ大きさの縦長のボックス形状をなし、払い出しに関す各種部品が装着されることでユニット化されている。
【００５３】
なお、球払出装置１７０は、払出装置装着部１３５の凹部の後方開口部から嵌め込まれて適宜の取付手段（例えば、弾性クリップ、係止爪、ビス等の取付手段）によって装着されるようになっている。
【００５４】
また、図示しないが、球払出装置１７０は、タンクレール１５０におけるレール通路の出口にそれぞれ連通する流入口を有する球通路が前後複数列（例えば前後２列）に区画されて形成されている。また、その内部に形成された前後複数列の球通路の下流部が二股状に分岐されて前後複数列の賞球および貸球用球通路と球抜き用球通路とがそれぞれ形成されている。そして賞球および貸球用球通路と球抜き用球通路との分岐部には、遊技球をいずれかの通路に振り分けて払い出すための回転体よりなる払出部材（図示しない）が正逆回転可能に配設されている。
［本体枠の後側下部の装備について］図３および図４を参照しつつ説明する。
【００５５】
本体枠３の前枠体１１の後側において、遊技盤装着枠１２よりも下方に位置する前枠体１１の後下部領域の片側（図４に向かって左側）には、発射レール１９の下傾端部の発射位置に送られた遊技球を発射するための発射ハンマー（図示しない）、その発射ハンマーを差動する発射モータ１９２等が取付基板１９３に組み付けられてユニット化された発射装置ユニット１９４（球発射手段）が装着されている。
【００５６】
前枠体１１の後下部領域の略中央部には、電源基板１９５を収容する電源基板ボックス１９６が装着され、その電源基板ボックス１９６の後側に重ね合わされた状態で払出制御基板１９７を収容する払出制御基板ボックス１９８が装着されている。
【００５７】
払出制御基板１９７は、遊技球を払い出す数を記憶するＲＡＭを備え、主制御基板１３１から送信される払出用信号に従って遊技球を払い出す制御信号を中継用回路基板（図示しない）に伝達して払出用モータ１７２を作動制御するようになっている。
［後カバー体の構成について］図４および図５を参照しつつ説明する。
【００５８】
図５はパチンコ機の後側全体を右上後方から示す斜視図である。
【００５９】
遊技盤５後面に配置された表示装置制御基板ボックス１１７（図９参照）および主制御基板ボックス１３２の後端部は機構装着体１３の中央部に開口された窓開口部に向けて突出している。
【００６０】
機構装着体１３の窓開口部の一側壁を構成する側壁部と他端壁を構成する払出装置装着部１３５の片側壁との間には、不透明な合成樹脂材によって略方形の箱形状に形成された後カバー体２１０がカバーヒンジ機構２１１によって開閉並びに着脱可能に装着されている。
【００６１】
後カバー体２１０は、略四角形状の後壁部２１２と、その後壁部２１２の外周縁から前方に向けて突出された周壁部２１３とから一体に構成されている。後カバー体２１０の周壁部２１３のうち、一側の壁部２１３ａには、機構装着体１３の後壁部の上下および中間の計３箇所に形成されたヒンジ体２１４のヒンジ孔の上方からそれぞれ着脱可能に嵌め込まれるヒンジピン２１５を下向きに有するヒンジ体２１６が一体に形成されている。
【００６２】
また、後カバー体２１０の周壁部２１３のうち、他側の壁部２１３ｂには、払出装置装着部１３５の片側壁に形成された係止孔に弾性的に係合可能な係止爪を有する弾性閉止体２１７が一体に形成されている。
【００６３】
即ち、後カバー体２１０は、その上下および中間のヒンジ体２１６の各ヒンジピン２１５が機構装着体１３の側壁部のヒンジ体２１４のヒンジ孔の上方からそれぞれ嵌め込まれる。この状態で、ヒンジピン２１５を中心として後カバー体２１０が機構装着体１３の他側に向けて回動されながら、その弾性閉止体２１７を払出装置装着部１３５の片側壁の係止孔に差し込んで弾性的に係合させることで、機構装着体１３の後側に後カバー体２１０が閉じ状態で保持される。そして、後カバー体２１０によって、遊技盤５後面の表示装置制御基板ボックス１１７（図９参照）全体および主制御基板ボックス１３２の略中間部から上端にわたる部分が後カバー体２１０によって覆われるようになっている。これによって主制御基板ボックス１３２の上部に露出された主制御基板１３１の基板コネクタ（主として表示装置制御基板１１６と接続するための基板コネクタ）が後方から視認不能に隠蔽されている。
【００６４】
また、主制御基板ボックス１３２の略中間部から下端にわたる部分は後カバー体２１０によって覆われることなく露出されている。そして、主制御基板ボックス１３２の下部には、その主制御基板１３１上に配置された検査用コネクタ２１８が露出されており、後カバー体２１０が閉じられた状態で主制御基板１３１上の検査用コネクタ２１８に基板検査装置（図示しない）を接続して検査可能となっている。
【００６５】
後カバー体２１０には、多数の放熱孔２３０，２３１，２３２，２３３が貫設されており、これら多数の放熱孔２３０，２３１，２３２，２３３から内部の熱が放出されるようになっている。この実施形態において、後カバー体２１０には、その周壁部２１３から後壁部２１２に延びる多数のスリット状の放熱孔２３０が貫設され、後壁部２１２の略中間高さ位置から上部においては多数の長円形、楕円形等の放熱孔２３１が貫設され後壁部２１２の下部には多数の長円形、楕円形等の放熱孔２３２と所定数の横長四角形状の放熱孔２３３が貫設されている。
【００６６】
また、横長四角形状の放熱孔２３３は、主制御基板ボックス１３２の封印ねじ（封印部材）によって封印される複数の並列状の封印部２３５の列の大きさおよび配設位置に対応する大きさおよび位置に貫設されている。これによって、不透明な後カバー体２１０が閉じられた状態であっても、主制御基板ボックス１３２の複数の並列状の封印部２３５が放熱孔２３３の部分において視認可能に露出される。このため、後カバー体２１０が閉じられた状態であっても、主制御基板ボックス１３２の封印部２３５の封印状態を容易に視認することができる。また、不透明な合成樹脂材は、透明な合成樹脂材と比べ、リサイクル使用される合成樹脂材を材料として用いることが容易であるため、後カバー体２１０を安価に製作することができる。
【００６７】
後カバー体２１０の周壁部２１３のうち、上側壁部２１３ｃの所定位置（この実施形態では左右２箇所）には、電源コード（図示しない）を適宜に折り畳んだ状態で保持する略Ｃ字状でかつ弾性変形可能なコード保持体２３７が上方のタンクレール１５０の後壁面（レール構成部材１３９の後壁面）に向けて延出されている。このコード保持体２３７の先端部には、同コード保持体２３７を弾性変形させて電源コードを取り外すためのつまみが形成されている。
【００６８】
電源コードは、その一端が分電基板２３８の基板コネクタ２３９に取り外し可能に接続され、他端の電源プラグが電源コンセントに差し込まれる。前記したように、後カバー体２１０にコード保持体２３７を一体に形成して電源コードを保持することで、パチンコ機１を運搬・保管する際に電源コードがぶらついて邪魔になったり、異物に引っ掛かる不具合を防止することができる。
［本体枠の後側下部の下皿用球誘導体等の構成について］図２および図６を参照しつつ説明する。
【００６９】
図６は、図５に示すパチンコ機の斜視図から後カバー体および各種制御基板等を取り外した状態を示す斜視図である。
【００７０】
本体枠３の後下部領域の他側寄り部分（ヒンジ寄り部分）には、そのスピーカボックス部１６の後段差部の凹み部分において下皿用球誘導体２５３が装着されている。この下皿用球誘導体２５３は、球払出装置１７０の賞球および貸球用球通路から上皿連絡路（図示しない）を経て上皿５１に払い出された遊技球が満杯になったときに、上皿連絡路の遊技球を下皿３１に導くためのものである。
【００７１】
なお、この実施形態において、下皿用球誘導体２５３の後壁外面には、インターフェース基板２５２を収納している基板ボックス２５４が装着されている。なお、インターフェース基板２５２は、パチンコ機１に隣接して設置される貸球機と払出制御基板１９７との間に介在され、球貸に関する信号を球貸機と払出制御基板１９７との間で送受信可能に電気的に接続するようになっている。
［遊技盤の構成について］図１０〜図３６を参照しつつ説明する。
【００７２】
図１０は、遊技領域を有した遊技盤の構成を示す拡大正面図である。図１１は、遊技盤を斜め前方から示す斜視図である。図１２は、遊技盤を主要な構成部品毎に分解して斜め前方から示す斜視図である。図１３は、遊技盤を主要な構成部品毎に分解して斜め後方から示す斜視図である。
【００７３】
図１０および図１１に示すように、遊技盤５は、遊技領域３７を形成する略円形の遊技領域形成壁８０を有している。この遊技領域形成壁８０の内側（遊技領域３７側）であって且つ左側には、遊技球を遊技領域３７に案内する外レール７６および内レール７７からなる案内レール７８が設けられている。発射装置ユニット１９４（図７参照）から発射された遊技球は、案内レールに沿って遊技領域３７に向けて打ち込まれる。
【００７４】
遊技領域３７の中央部には、センター役物３００（前面装飾部材）が配置されている。このセンター役物３００は、遊技領域３７の幅方向のうち３分の２以上の幅を占める大きさである。センター役物３００は略長方形の開口部３０１を有しており、この開口部３０１には演出表示装置１１５（表示手段）が配置されている。また、センター役物３００は枠状装飾体３７０を有しており、この枠状装飾体３７０は、開口部３０１の開口縁に沿って設けられている。
【００７５】
センター役物３００の下方には、遊技領域３７に向けて打ち込まれた遊技球を受入れ可能な第一始動口３９０（始動入賞口）が配置されている。第一始動口３９０の下方には、一対の可動片３９６を有する第三始動口３９４（第二始動口については後述する：始動入賞口）が配置されている。第三始動口３９４は、一対の可動片３９６が閉状態であるときは遊技球を受入れることが不可能または受入れ困難となっており、この一対の可動片３９６が開状態であるときは、第一始動口３９０よりも遊技球の受入れが容易となる。
【００７６】
なお、本実施形態において、「下方」とは、遊技球の流下方向についての下流側を意味し、「上方」とは、遊技球の流下方向についての上流側を意味する。
【００７７】
第一始動口３９０の真上であって且つ枠状装飾体３７０の下枠３７０ａには開口部３７２が形成されている。
【００７８】
センター役物３００の上部には、第一開閉装置３９８（可変入賞口装置）が設けられている。この第一開閉装置３９８は、第一大入賞口３９８ａ（可変入賞口）と、この第一大入賞口３９８ａに対応して設けられた第一大入賞口開閉扉３９８ｂとを有している。第一大入賞口３９８ａは、遊技球の受入れが可能な開口部である。第一大入賞口開閉扉３９８ｂは、第一大入賞口３９８ａを、遊技球の受入れが可能な開状態と遊技球の受入れが不可能または困難にする閉状態とに切り換えるための部材である。
【００７９】
なお、第一大入賞口開閉扉３９８ｂの構成は、第一大入賞口３９８ａを開閉させることができればその態様は限定されないが、本実施形態では、遊技盤５の遊技領域３７が形成された面を横切る方向（即ち前後方向）に出し入れ自在に構成されている。
【００８０】
また、本実施形態において、「前後方向」とは、遊技盤５の面に対して直交する方向、即ち、遊技者からみた前後方向を意味する。
【００８１】
第三始動口３９４の下方には、第二開閉装置４００が設けられている。この第二開閉装置４００は、第二大入賞口４００ａと、この第二大入賞口４００ａに対応して設けられた第二大入賞口開閉扉４００ｂとを有している。第二大入賞口４００ａは、遊技球の受入れが可能な開口部である。第二大入賞口開閉扉４００ｂは、第二大入賞口４００ａを、遊技球の受入れが可能な開状態と遊技球の受入れが不可能または困難にする閉状態とに切り換えるための部材である。
【００８２】
センター役物３００の左側には、遊技球が通過可能な通過ゲート４０２が設けられており、センター役物３００の左下方（第一始動口３９０および第三始動口３９４の左側）には、三つの一般入賞口４０４が設けられている。
【００８３】
また、本実施形態において、「左側」とは、遊技者からみた左側を意味する。
【００８４】
センター役物３００の右下には、後述する第一特別図柄抽選手段７００による抽選結果を表示する第一特別図柄表示器８４、第二特別図柄抽選手段７１０による抽選結果を表示する第二特別図柄表示器８６、第一特別図柄抽選手段７００による抽選の保留数を表示する第一保留表示器８８および第二特別図柄抽選手段７１０による抽選の保留数を表示する第二保留表示器９０が設けられている。
【００８５】
これらの各表示器８４，８６，８８，９０は、例えばＬＥＤで構成されており、このＬＥＤの点灯態様によって、第一特別図柄抽選手段７００による抽選結果、第二特別図柄抽選手段７１０による抽選結果、第一特別図柄抽選手段７００による抽選の保留数および第二特別図柄抽選手段７１０による抽選の保留数が報知される。
【００８６】
本実施形態の遊技盤５は、主要な構成部品毎に分解すると、図１２及び図１３に示すように、前側から、案内レール７８を備えた前構成部材７９と、枠状のセンター役物３００と、第二開閉装置４００、第三始動口３９４、及び一般入賞口４０４を備えた入賞口ユニット２６０と、通過ゲート４０２を備えたサイド装飾部材２６２と、前側からセンター役物３００、入賞口ユニット２６０、及びサイド装飾部材２６２を取付けるための適宜大きさの貫通孔２６４を複数有した板状の遊技盤ベース２６６と、遊技盤ベース２６６の後側に取付けられる枠状開口部を有した裏ユニット２７０と、裏ユニット２７０の開口部を後側から閉鎖するように裏ユニット２７０に固定される演出表示装置１１５と、裏ユニット２７０の下側に配置されると共に遊技盤ベース２６６の後面側に取付けられ、副制御基板ボックス１３０及び主制御基板ボックス１３２を支持し且つ遊技領域３７に打ち込まれた遊技球を遊技盤５から排出するアウト口流路を有した基板ボックスホルダ２６８とを主に備えている。
（センター役物における第一、第二、及び第三ステージについて）
【００８７】
センター役物３００は、図１０及び図１１に示すように、枠状装飾体３７０の下枠３７０ａ付近に、第一棚部（以下、「第一ステージ３３０」と称する。）と、遊技球の流下方向について第一ステージ３３０よりも下流側に配置された第二棚部（以下、「第二ステージ３５０」と称する。）とを有している。第二ステージ３５０が配置されている位置は、第一ステージ３３０に対して演出表示装置１１５の反対側（即ち前方（遊技者）側）である。
【００８８】
枠状装飾体３７０の左枠３７０ｂの上下方向の略中央付近（即ち枠状装飾体３７０の側方）には、流下する遊技球を、第一ステージ３３０まで誘導するための第一ステージ誘導路（以下、「第一ワープ３１６」と称する。）に受入れ可能な第一ワープ入口３０６が設けられている。
【００８９】
また、第一ワープ入口３０６の下方には第二ステージ誘導路（以下、「第二ワープ３１８」と称する。）に受入れ可能な第二ワープ入口３０８が、第一ワープ入口３０６と並設されている。
【００９０】
第一ワープ入口３０６および第二ワープ入口３０８の下方には、それぞれ、第一ワープ入口３０６に遊技球を誘導する第一ワープ誘導片（図示せず）および第二ワープ入口３０８に遊技球を誘導する第二ワープ誘導片３１０が設けられている。この第二ワープ誘導片３１０は、枠状装飾体３７０から左方（即ち、センター役物３００から遊技領域３７）に向けて突出している。これにより、第二ワープ入口３０８が第一ワープ入口３０６よりも遊技球が導かれ易くなっている。従って、遊技球が第一ワープ入口３０６に導かれなかった場合であっても、第二ワープ入口３０８に受入れられる期待感が高まり、興趣が高められる。
【００９１】
第一ステージ３３０には、第一ワープ出口側端部３３６から第一ワープ反出口側端部３３８にかけて波状に形成された曲面が形成されている。詳しくは、上方向に膨らんだ山部３３２が第一ステージ３３０の左右方向の略中央部に形成されており、この山部３３２の左右両側には、山部３３２と連続的に連なった谷部３３４が形成されている。
【００９２】
なお、山部３３２の高さは、第一ワープ出口側端部３３６および第一ワープ反出口側端部３３８よりも低い位置となっている。これにより、第一ワープ出口３１２から排出された遊技球は、山部３３２を乗り越えることができ、第一ワープ出口側端部３３６第一ワープ反出口側端部３３８との間を往復して転動することができる。
【００９３】
第二ステージ３５０の略中央部には、高台部３５２が形成されている。この高台部３５２は、第一ステージ３３０の山部３３２の前方に位置している。第二ステージ３５０は、高台部３５２の他、第二ワープ出口側端部３５６からこの高台部３５２にかけて曲面が形成された湾曲部３５４を有している。また、第二ワープ反出口側端部３５８から高台部３５２にかけて曲面が形成された湾曲部３５４を有している。これらの湾曲部３５４は、高台部３５２よりも下方に湾曲している。
【００９４】
なお、高台部３５２の高さは、第二ワープ出口側端部３５６および第二ワープ反出口側端部３５８よりも低い位置である。これにより、第二ワープ出口３１４から排出された遊技球は、高台部３５２を乗り越えることができ、第二ワープ出口側端部３５６から第二ワープ反出口側端部３５８との間を往復して転動することができる。
【００９５】
第一ワープ入口３０６および第二ワープ入口３０８に受入れられた遊技球は、それぞれ、第一ワープ出口３１２および第二ワープ出口３１４から排出されて、第一ステージ３３０および第二ステージ３５０に導かれる。
【００９６】
なお、第一ワープ３１６における遊技球の流下方向と第一ステージ３３０における遊技球の転動方向とが略同一線上にあるので、第一ワープ３１６を流下した遊技球は、運動エネルギーの損失が少ない。即ち、第一ワープ３１６を流下した遊技球がその進行方向を変えられると運動エネルギーが損失してしまう。従って、第一ワープ３１６を流下した遊技球は、第一ステージ３３０上を勢い良く転動する。同様に、第二ワープ３１８における遊技球の流下方向と第二ステージ３５０における遊技球の転動方向とが略同一線上にあるので、第二ワープ３１８を流下した遊技球も、運動エネルギーの損失が少ない。これにより、第一ステージ３３０に導かれた遊技球および第二ステージ３５０に導かれた遊技球は、いずれも、第一ステージ３３０上および第二ステージ３５０上を勢い良く転動し、各ステージ上３３０，３５０に滞在する時間が長くなり、その結果各ステージ３３０，３５０において遊技球が遊ぶこととなり、興趣が高められる。
【００９７】
また、本実施形態において、第一ステージ３３０および第二ステージ３５０には、センター役物３００の右側からは遊技球が導かれない。即ち、第一ステージ３３０および第二ステージ３５０にはセンター役物３００の左側からのみ遊技球が導かれるので、第一ステージ３３０上および第二ステージ３５０上を転動する遊技球が、反対方向から導かれた遊技球によって転動を阻害されることがない。これにより、各ステージ上３３０，３５０に滞在する時間が長くなり、その結果各ステージ３３０，３５０において遊技球が遊ぶこととなり、興趣が高められる。
【００９８】
枠状装飾体３７０の下枠３７０ａ付近であって且つ演出表示装置１１５と第一ステージ３３０との間には、演出表示装置１１５に隣接するセンター電飾部３０２が形成されている。このセンター電飾部３０２には、センター役物３００の幅方向に沿って棚状の曲面が形成されており、この曲面には、複数のセンター装飾ランプ３０４が配置されている。
【００９９】
センター電飾部３０２の左右方向の略中央部であって且つ第一ステージ３３０の山部３３２に対応する位置には、遊技球を受入れ可能な第二始動口３９２（始動入賞口）が形成されている。即ち、第二始動口３９２は、遊技球の流下方向である第二ステージ３５０側ではなくその反対方向（第一ステージ３３０の後方側）に設けられている。これにより、遊技者から見て遊技球の第二始動口３９２への入賞を視認し易くなる。これは、第二ステージ３５０が第一ステージ３３０よりも下方に形成されており且つ第一ステージ３３０と第二ステージ３５０との間に後述するステージ仕切壁３６４が設けられているからである。
【０１００】
また、第一ステージ３３０の山部３３２には、第二始動口３９２に遊技球を導くための第二始動誘導口３４０が形成されている。この第二始動誘導口３４０は、山部３３２から第二始動口３９２にかけて下方に傾斜しており、これにより、第二始動口３９２に遊技球が導かれるようになっている。従って、第一ステージ３３０上を転動している遊技球が山部３３２付近で転動する勢いがなくなったとき、この第二始動誘導口３４０によって第二始動口３９２に導かれ易くなる。
【０１０１】
なお、第二始動口３９２に入賞した遊技球は、遊技盤５の背後に連通する排出路（図示せず）を通って、遊技盤５の背後に排出される。
【０１０２】
第一ステージ３３０の谷部３３４には、第二ステージ３５０に遊技球を流下させるための第一ステージ傾斜溝３４２が形成されている。この第一ステージ傾斜溝３４２は、谷部３３４から第二ステージ３５０にかけて（即ち、後方から前方に向けて）下方に傾斜しており、これにより、第二ステージ３５０に遊技球が導かれるようになっている。従って、第一ステージ３３０上を転動している遊技球が山部３３２を乗り越える勢いがなくなったとき、この第一ステージ傾斜溝３４２によって第二ステージ３５０に導かれ易くなる。第一ワープ出口側端部３３６と第一ワープ反出口側端部３３８との間を往復して転動するだけの勢いがなくなった遊技球は、山部３３２から第三始動口３９４に入賞する可能性よりも、谷部３３４から第二ステージ３５０に導かれる可能性の方が極めて高い。
【０１０３】
第一ステージ３３０と第二ステージ３５０との間には、各ステージ３３０，３５０を仕切るための薄い板状のステージ仕切壁３６４が設けられている。このステージ仕切壁３６４は第一ステージ３３０上の面よりも上方向に突出するように配置されており、これにより、第一ステージ３３０上を転動する遊技球が第二ステージ３５０に流下しないようになっている。ただし、ステージ仕切壁３６４の第一ステージ３３０の谷部３３４に対応する位置には、第一ステージ３３０（具体的には谷部３３４）と第二ステージ３５０とが連通する連通部３６６が形成されている。連通部３６６付近で左右に転動する勢いがなくなった遊技球は、連通部３６６を通って第一ステージ３３０から第二ステージ３５０に流下する。
【０１０４】
第二ステージ３５０の左右方向の略中央部（即ち、第一ステージ３３０の山部３３２に対応する部位）であって且つ高台部３５２に対応する位置には、第一始動口誘導路３７４を介して枠状装飾体３７０の下枠３７０ａに形成された開口部３７２に連通する第一始動誘導口３６８が形成されている。即ち、第一始動誘導口３６８は、遊技球の流下方向側ではなくその反対方向（第二ステージ３５０の後方側）に設けられている。これにより、遊技者から見て遊技球が第一始動誘導口３６８に受入れられることを視認し易くなる。
【０１０５】
第一始動誘導口３６８に導かれた遊技球は、第一始動口誘導路３７４を通って開口部３７２から遊技盤５上に排出される。ここで、第一始動口誘導路３７４は第一始動口３９０の真上方まで遊技球を導くように形成されているので、第一始動口誘導路３７４に導かれて遊技盤５面側に排出された遊技球が第一始動口３９０に入賞する期待感は非常に大きなものとなる。ただし、第一始動口３９０の真上には釘が配置（図示せず）されており、この釘によって第一始動口３９０への遊技球の入賞が阻害されることがある。従って、第一始動口誘導路３７４を通って開口部３７２から遊技盤５上に排出された遊技球が第一始動口３９０に入賞する確率は、概ね４分の１〜４分の３程度となる。
【０１０６】
高台部３５２の左右方向の略中央部は第一始動誘導口３６８の位置に対応しており、高台部３５２の両端から略中央部にかけて（即ち、第一始動誘導口３６８側に向けて）下方に傾斜する傾斜部３５３を有している。また、高台部３５２の略中央部には、後述する第三棚部（以下、「第三ステージ３７６」と称する。）に遊技球を導くための前方傾斜溝３６０が形成されている。また、前方傾斜溝３６０の内側にはさらに、遊技球を第一始動誘導口３６８に導くための第一始動誘導口誘導溝３６２が形成されている。即ち、高台部３５２の略中央部には、後方から前方に向けて下方に傾斜する前方傾斜溝３６０が形成されていると共に、この前方傾斜溝３６０の内部にさらに、前方から後方にかけて下方に傾斜する第一始動誘導口誘導溝３６２が形成されていることとなる。これにより、前方傾斜溝３６０付近で左右に転動する勢いがなくなった遊技球は、第一始動誘導口誘導溝３６２に沿って第一始動誘導口３６８に導かれる場合と、前方傾斜溝３６０に沿って第三ステージ３７６に流下する場合とがある。
【０１０７】
また、枠状装飾体３７０の下枠３７０ａには、左右方向に円弧を描くように曲面が形成された第三ステージ３７６が形成されている。遊技球は、この第三ステージ３７６上を左右方向に転動可能となっている。第三ステージ３７６の左右方向の略中央部には、後方から前方にかけて下方に傾斜する前方誘導溝３７８が形成されている。この前方誘導溝３７８付近で左右に転動する勢いがなくなった遊技球は、前方誘導溝３７８に沿って遊技盤５上を流下する。
【０１０８】
このように、高台部３５２の略中央部に第一始動誘導口誘導溝３６２が形成されているので、第一始動誘導口３６８に遊技球が導かれる期待感は、山部３３２から第二始動口３９２に入賞する期待感よりも極めて高くなる。また、第二始動口３９２には第一ワープ入口３０６からセンター役物３００内に受入れられた遊技球のみが入賞可能である一方、第一始動口３９０には第一ワープ入口３０６または第二ワープ入口３０８からセンター役物３００内に受入れられた遊技球のみでなく、センター役物３００の左側を流下した遊技球が、釘によって誘導されて第一始動口３９０に入賞する場合もある。このように、第一始動口３９０に遊技球が入賞する確率は、第二始動口３９２に遊技球が入賞する確率よりも高いものとなる。
（センター役物における第一、第二ワープ、及び光透過部材について）
【０１０９】
図１４は、遊技盤を斜め前方から示す斜視図であって、装飾カバーを取り外すことによって第一ワープおよび第二ワープを視認可能とした斜視図である。図１５は、第一ワープおよび第二ワープの周辺の構成を示す斜視図である。図１６は、光透過部材と第一ワープおよび第二ワープとの位置関係を示した図である。図１７は、図１６とは異なる位置の光透過部材の構成を示す分解斜視図である。図１８は、図１７に係る光透過部材を含む断面図である。
【０１１０】
図１４に示すように、第一ワープ３１６および第二ワープ３１８は、互いに区画して形成されている。即ち、第一ワープ入口３０６から取り込まれた遊技球は第一ワープ３１６のみを流下し、第二ワープ入口３０８から取り込まれた遊技球は第二ワープ３１８のみを流下する。これにより、第一ワープ入口３０６から取り込まれた遊技球と第二ワープ入口３０８から取り込まれた遊技球とが互いに干渉することなく、それぞれ、第一ステージ３３０および第二ステージ３５０に導かれる。
【０１１１】
また、第一ワープ３１６および第二ワープ３１８は、いずれも、内部を流下する遊技球を視認可能であるように透明部材で構成されている。これにより、第一ワープ入口３０６または第二ワープ入口３０８から受入れられた遊技球を視認できる。つまり、従来では遊技者は、センター役物３００や演出表示装置１１５に注意を惹かれていることが多いため、第一ワープ入口３０６または第二ワープ入口３０８に遊技球が受入れられたことを見逃す場合が多く、これにより興趣が低下していた。そこで、第一ワープ３１６および第二ワープ３１８を透明部材とすることによって、第一ワープ入口３０６または第二ワープ入口３０８に遊技球が受入れられたことを見逃した場合であっても、第一ワープ３１６および第二ワープ３１８を流下する遊技球を視認できるので、興趣の低下を抑制できる。
【０１１２】
さらに、第一ワープ３１６および第二ワープ３１８は、互いに前後方向に隣接してセンター役物３００の開口部３０１に沿って配置されている。詳しくは、第一ワープ３１６が後方側、第二ワープ３１８が前方側となるように、互いに隣接すると共に、センター役物３００の開口部３０１に沿って設けられている。これにより、狭いスペースであっても、両者を効率良く配置できる。
【０１１３】
また、図１５に示すように、第一ワープ３１６および第二ワープ３１８の後方には、演出用の光源３８０が配置される。光源３８０は、ベース３８２と複数個のＬＥＤ３８４とを有しており、ベース３８２に複数個のＬＥＤ３８４が配列されている。なお、光源３８０（ベース３８２およびＬＥＤ３８４）、装飾カバー３８６および光透過部材３８８によって電飾部材３７９が構成される。
【０１１４】
光源３８０から発光された光は、光透過部材３８８に入射し、平面部３８８ａに沿って光透過部材３８８を透過して遊技盤５の前方に導かれる。光透過部材３８８は、湾曲された板状の部材であって、透明のプラスティック等の樹脂により構成されている。光透過部材３８８は平面部３８８ａと、この平面部３８８ａに交差する端部３８８ｂとを有している。光透過部材３８８は、この端部３８８ｂが前方側（遊技者側）となるように配置される。
【０１１５】
第一ワープ３１６、第二ワープ３１８および光透過部材３８８は、着色された非透明の装飾カバー３８６によって被覆されている。光透過部材３８８を透過した光は、装飾カバー３８６まで導かれるので、装飾カバー３８６の前面部が発光する。このように、光透過部材３８８は、光源３８０から発光された光を前方に導いて線状に発光させることができる。しかも、この光透過部材３８８は平面部３８８ａの幅方向長さ分だけ光を前方に導くことができるので、光源３８０を配置する位置の自由度が大きくなる。
【０１１６】
また、装飾カバー３８６が着色されることによって、第一ワープ３１６および第二ワープ３１８が視認し難くなっている。従って、装飾カバー３８６の前面部には、第一ワープ３１６を流下する遊技球を視認できるように第一ワープ視認孔３８６ａと、第二ワープ３１８を流下する遊技球を視認できるように第二ワープ視認孔３８６ｂとが形成されている。これにより、着色された光による演出を行うことができると共に、第一ワープ３１６および第二ワープ３１８を流下する遊技球を視認することができ、興趣が高められる。
【０１１７】
更に、図１６に示すように、第一ワープ３１６および第二ワープ３１８は、光透過部材３８８の平面部３８８ａに沿って取り付けられる。ここで、光源３８０から発光された光は光透過部材３８８の端部３８８ｂから前方に導かれるので、遊技球が流下する経路を、光源３８０から発光された光によって容易に把握することができる。
【０１１８】
また、第一ワープ３１６および第二ワープ３１８が互いに前後方向に隣接して配置されているので、第一ワープ３１６および第二ワープ３１８のそれぞれに光源３８０および光透過部材３８８を設けることなく、第一ワープ３１６および第二ワープ３１８のそれぞれを流下する遊技球を把握することができる。
【０１１９】
また、光透過部材３８８を透過した光は端部３８８ｂから出射するので、線状に発光させることができる。これにより、センター役物３００の周囲に沿う場所等、狭い場所であっても発光させることが可能になり、華やかな演出の実行が可能となる。さらに、センター役物３００の開口部３０１に沿って発光させたい場合のように、枠状に発光させることも可能となる。
【０１２０】
また、この光透過部材３８８の端部３８８ｂには、平面部３８８ａが正面視となる方向から見て蒲鉾形に形成されている。これにより、平面部３８８ａを透過した光が、直線的に前方に導き出されるのではなく端部３８８ｂの長手方向に沿う方向に分散されるので、発光領域が大きくなり、より華やかに見え、興趣が高められる。
【０１２１】
本実施形態のセンター役物３００における外周に配置された電飾部材３７９の内、センター役物３００の正面視右下側の電飾部材３７９、つまり、各ステージ３３０，３５０，３７６よりも下方に延びだし、普通図柄表示器８２、第一及び第二特別図柄表示器８４，８６、第一及び第二保留表示器８８，９０の近傍（左側）に配置された電飾部材３７９では、図１７及び図１８に示すような、形状に特徴のある光透過部材３８９が用いられている。
【０１２２】
この光透過部材３８９は、上記の光透過部材３８８と同様に、所定厚さの透明板からなり、光源３８０のＬＥＤ３８４からの光が直接照射される入射側端部３８９ａと、入射側端部３８９ａの反対側、つまり、装飾カバー３８６側に配置され、入射側端部３８９ａから光透過部材３８９内に進入した光を外部へ放射する放射側端部３８９ｂとを備えている。この放射側端部３８９ｂの表面は、細かい凸状レンズが形成されており、放射される光が拡散するようになっている。
【０１２３】
また、光透過部材３８９には、放射側端部３８９ｂ側から、入射側端部３８９ａに向かうＶ字形状の切欠き部３８９ｃが形成されており、この切欠き部３８９ｃにおける光透過部材３８９の長手方向先端部側（図中上側）の端面が第一光誘導部３８９ｄとされている。この第一光誘導部３８９ｄは、入射側端部３８９ａから入射した光が、光透過部材３８９の長手方向に反射誘導するような面形状とされている。
【０１２４】
この第一光誘導部３８９ｄによって、入射端部側３８９ａ側から入った光が光透過部材３８９の内部で第一光誘導部３８９ｄに到達すると、その光の一部が第一光誘導部３８９ｄで光透過部材３８９の長手方向に沿った方向に反射し、光透過部材３８９内部をその長手方向の先端部側に向かって光が進むこととなる。なお、第一光誘導部３８９ｄでは反射されずに、第一光誘導部３８９ｄから光透過部材３８９の外部へ放射される光があり、外部へ放射された光は、切欠き部３８９ｃ前方の装飾カバー３８６を照射することとなる。
【０１２５】
また、光透過部材３８９には、切欠き部３８９ｃにおける第一光誘導部３８９ｄが配置された側と同じ側の長手方向先端部（図中上側端部）には、光透過部材３８９の長手方向に沿ってその内を進んできた光を、放射側端部３８９ｂ側に反射誘導させる第二光誘導部３８９ｅが形成されている。この第二光誘導部３８９ｅは、長手方向先端に向かう入射側端部３８９ａの端面から鋭角となるような角度に形成された複数の傾斜面を有している。図示するように、これら傾斜面は夫々異なる角度とされており、本例では鋸形状とされている。この第二光誘導部３８９ｅによって、光透過部材３８９内を長手方向先端側に向かって進んできた光を放射側端部３８９ｂに向かって反射させて、放射側端部３８９ｂから放射できるようになっている。
【０１２６】
本例の光透過部材３８９によると、所定位置に配置された光源３８０からの光を、入射側端部３８９ａから内部に進入させた上で、第一光誘導部３８９ｄで反射させてその光軸をパチンコ機１の前後方向に対して略直角方向である光透過部材３８９の長手方向に向けさせて、第一光誘導部３８９ｄから所定距離離れた第二光誘導部３８９ｅへと送り、第二光誘導部３８９ｅでは長手方向に進んできた光を、パチンコ機１の前方向へ反射させることで第二光誘導部３８９ｅの前側にある放射側端部３８９ｂから放射して、その前方の装飾カバー３８６に照射することで、光装飾することができるようになっている。
【０１２７】
つまり、本例の光透過部材３８９によると、装飾カバー３８６における光源３８０の真正面に配置されていない部位に対しても、光源３８０からの光を照射させることができるので、真後ろに光源３８０が配置できなくても装飾カバー３８６全体に光を照射して、装飾カバー３８６を良好に光装飾することができる。
（裏ユニットと演出表示装置との関係について）
【０１２８】
図１９は、裏ユニットと演出表示装置とを組付けた状態で前方から示す斜視図である。図２０は、図１９を後方から示す斜視図である。図２１は、裏ユニットを後方から示す斜視図である。図２２は、演出表示装置の背面図である。図２３は、裏ユニットと演出表示装置等とを分解して前方から示す斜視図である。
【０１２９】
図示するように、本例では、裏ユニット２７０の後側に、演出表示装置１１５が着脱可能に取付けられるようになっている。具体的には、図２１に示すように、裏ユニット２７０には、裏箱４１０における略矩形状に形成された開口部４１２の内周で、上下に延びる一方側（背面視で左側）に上下に離反して形成される二つの着脱溝４１４と、着脱溝４１４とは左右方向反対側（背面視で右側）で裏箱４１０の後面に配置され着脱レバー４１６を有した着脱機構４１８とを備えている。
【０１３０】
着脱機構４１６の着脱レバー４１６は、裏箱４１０における開口部４１２の中心を向く側が開放された上下方向に長い断面箱型形状とされると共に、裏箱４１０の後面に上下方向にスライドできるように保持されている。この着脱レバー４１６の後面側には、上下方向の略中央で後側に突出するツマミ部４１６ａと、ツマミ部４１６ａ下側の後面が切り欠かれて後側に開放された開放部４１６ｂとを備えている。
【０１３１】
一方、演出表示装置１１５は、図２２に示すように、その外形が略矩形状に形成されており、左右一方の側面（背面視左側の側面）で上下方向に互いに離反した位置に形成され、外方に向かって突出する二つの着脱突起４２０と、着脱突起４２０が形成された側面とは反対側の他方の側面（背面視右側の側面）で上下方向の略中央に形成され、外方に向かって突出する着脱係止部４２２とを備えている。これら、着脱突起４２０及び着脱係止部４２２は、裏ユニット２７０の着脱溝４１４及び着脱機構４１８と対応するように形成されている。
【０１３２】
裏ユニット２７０への演出表示装置１１５の取付けは、裏箱４１０における着脱機構４１８の着脱レバー４１６を上側にスライドさせた状態で、演出表示装置１１５の表示画面を前側に向けて裏ユニット２７０の後側に配置し、二つの着脱突起４２０を着脱溝４１４に挿入すると共に、着脱係止部４２２を着脱レバー４１６の開放部４１６ｂから着脱機構４１８内に挿入する。そして、着脱レバー４１６を下側にスライドさせることで、着脱係止部４２２の後側が着脱レバー４１６の後面に覆われて、着脱係止部４２２が係止され演出表示装置１１５が裏ユニット２７０へ取付けられることとなる。
【０１３３】
なお、演出表示装置１１５が裏ユニット２７０へ取付けられることにより、裏箱４１０の開口部４１２が演出表示装置１１５によって閉鎖されと共に、裏箱４１０の剛性が高くなるようになっている。
【０１３４】
また、裏ユニット２７０における着脱溝４１４は、裏箱４１０と、裏箱４１０の後側に固定された演出用役物裏球経路上部材４２４（詳細な構成及び作用は後述する）との協働によって形成されるようになっている。この演出用役物裏球経路上部材４２４は、後側から所定のビスによって裏箱４１０に固定されていると共に、裏ユニット２７０の裏箱４１０や、演出表示装置１１５とは明らかに異なる色に着色されており、それらと容易に識別できるようになっている（図２０、図２１等を参照）。
【０１３５】
ところで、故障等により演出表示装置１１５を裏ユニット２７０からはずす場合、演出表示装置１１５を固定する着脱機構４１８においては着脱レバー４１６のツマミ部４１６ａの存在により、そこに着脱するための着脱機構４１８があることを、容易に作業者に認識させることができる。しかしながら、着脱機構４１８で着脱係止部４２２の係止を解除しても、着脱突起４２０が着脱溝４１４に挿入嵌合されているので、演出表示装置１１５を後側へ引っ張っただけでは取り外すことができず、作業者に取り外し方法を考えさせてしまい作業にかかる時間が長くなったり、無理に取り外して破損したりする恐れがある。
【０１３６】
しかしながら、本実施形態では、演出用役物裏球経路上部材４２４が、容易に識別できるようになっており、演出用役物裏球経路上部材４２４が別部材で取り外せることを即座に認識させることができるので、演出表示装置１１５を取り外す際に、演出用役物裏球経路上部材４２４を取り外させて、演出表示装置１１５の取り外しを容易に行わせることができ、取り外しにかかる時間を結果的に短くすることができると共に、無理な取り外しにより裏ユニット２７０等が破損するのを防止することができるようになっている。
（裏ユニットの全体構成について）
【０１３７】
図２４は、演出用役物を含む遊技盤の構成を示す正面図である。図２５は、遊技盤の後方に取り付けられる裏ユニットを、正面上前方から示す斜視図である。図２６は、遊技盤の正面図である。図２７は、図２６に示されるＡ−Ａ線断面図である。図２８は、裏ユニットを主要な部材毎に分解して前方から示す斜視図である。
【０１３８】
図示するように、本実施形態のパチンコ機１には、遊技領域３７に配置され、遊技球を用いた演出を行うことが可能な演出用役物４３０が備えられている。この演出用役物４３０は、センター役物３００の内側であって且つ枠状装飾体３７０の右枠３７０ｃに隣接する部位に配置されており、第一大入賞口３９８ａから受入れられた遊技球を用いて演出を行なうものである。
【０１３９】
この演出用役物４３０は円筒状の役物回転体４３２を有しており、この役物回転体４３２の内部には、図２４に示すようにフィギュア４３４が収容されている。この役物回転体４３２は、円周方向の一部が、内部を視認できる透明部材で構成されており、円周方向の一部とは異なる他の部が、内部を視認できない不透明部材で構成されている。ただし、透明部材に代えて開口部が形成されていても良い。内部に収容されたフィギュア４３４を視認できればその態様は限定されない。
【０１４０】
この演出用役物４３０の役物回転体４３２は、長手方向に伸びる中心（即ち役物回転体４３２の長手方向を横切る断面の中心線）を回転中心として回転自在に構成されている。従って、その回転位置によって、遊技者からフィギュア４３４を視認できたりまたは視認できなかったりする。即ち、不透明部材が前方（遊技者側）となる場合にはフィギュア４３４を視認できず（図１０参照）、透明部分が前方となる場合にはフィギュア４３４を視認することができるようになっている（図２４参照）。
【０１４１】
なお、「遊技盤５に対して回転自在」とは、遊技盤５に取り付けられていることを意味するのではなく、遊技盤５に取り付けられているか否かに拘わらず、遊技盤５に対して回転自在であれば良い。
【０１４２】
このフィギュア４３４を視認できないとき、役物回転体４３２の前面には「歌姫伝説」の文字を視認することができる。詳細な構成は後述するが、この文字は光を透過可能な透明部材で構成されており、また、この文字の後方にはＬＥＤ等の光源が配置されている。この光源から遊技盤５の前方に向けて発光させると、「歌姫伝説（装飾文字）」が点灯する。そして、光源の点灯態様を様々な態様とすることで、演出用役物４３０を装飾部材として用いることもできるようになっている。
【０１４３】
つまり、この演出用役物４３０は、役物回転体４３２が、フィギュア４３４が視認できる演出位置と、フィギュア４３４が視認できず「歌姫伝説」の装飾文字が視認できる装飾位置との間を任意に回転可能な構成となっている。
【０１４４】
従って、演出用役物４３０は、フィギュア４３４を視認できるとは演出用役物４３０として機能し、フィギュア４３４を視認できないとき（即ち装飾文字を視認できるとき）は装飾部材として機能するので、遊技盤５の領域を有効に活用できると共に、役物回転体４３２を回転させることによって遊技者に意外性を与えることができるので興趣が高められる。
【０１４５】
また、図２５及び図２７に示すように、演出用役物４３０と第一開閉装置３９８との間には、第一大入賞口３９８ａから受入れられた遊技球を演出用役物４３０に向けて導く役物誘導路４３６が設けられている。
【０１４６】
この役物誘導路４３６は、第一開閉装置３９８から演出用役物４３０に向けて下方に傾斜している（図２５参照）。これにより、第一大入賞口３９８ａに受入れられた遊技球は、演出用役物４３０に向けて役物誘導路４３６上を転動する。また、役物誘導路４３６は透明な樹脂部材で構成されており、これにより、役物誘導路４３６上を転動する遊技球を視認することができるようになっている。
【０１４７】
ここで、上述した演出用役物４３０、役物誘導路４３６等は、裏箱４１０に夫々支持されるようになっており、裏ユニット２７０を構成する構成部材とされている。つまり、裏ユニット２７０は、第一大入賞口３９８ａを有した第一開閉装置３９８と、第一開閉装置３９８の第一大入賞口３９８ａに受入れられた遊技球を誘導する役物誘導路４３６と、役物誘導路４３６によって誘導された遊技球が内部に進入することで遊技球を用いた演出を行うことができる演出用役物４３０と、第一開閉装置３９８、役物誘導路４３６、及び演出用役物４３０等を夫々所定位置に保持すると共に前後方向に貫通する矩形状の開口部４１２を有した裏箱４１０とを主に備えている。
【０１４８】
また、裏ユニット２７０には、演出用役物４３０の上部に配置され役物誘導路４３６により誘導された遊技球を、演出用役物４３０内、又は外（演出用役物４３０内に進入させることなく外部へ排出する）の何れかに振分ける振分機構４３８と、振分機構４３８によって演出用役物４３０外へ振分けられた遊技球が流通する演出用役物裏球経路上部材４２４と、演出用役物裏球経路下部材４２６（図４３参照）とを更に備えている。なお、図２８中符号４４０は、後述のランプ駆動基板６８８を収容したランプ駆動基板ボックスである。
【０１４９】
更に裏ユニット２７０には、上述したセンター役物３００における枠状装飾体３７０を光装飾するための複数の光源３８０と、ステージ３３０，３５０，３７６近傍に配置されたセンター電飾部３０２の光源となるセンター装飾ランプ３０４等を有したセンター光源部４４２とを備えている（図２５及び図２８等を参照）。このセンター光源部４４２は、図示は省略するが、複数のＬＥＤを有したベース基板と、ベース基板の上側に配置されＬＥＤからの光を拡散させる拡散レンズとを備えており、センター電飾部３０２の他に、各ステージ３３０，３５０，３７６等を光装飾できるようになっている。
【０１５０】
この裏ユニット２７０では、図示するように、上部に振分機構４３８が備えられた演出用役物４３０、役物誘導路４３６、各光源３８０、及びセンター光源部４４２等が、前側から裏箱４１０に取付けられるようになっている。また、第一開閉装置３９８、演出用役物裏球経路上部材４２４、演出用役物裏球経路下部材４２６、及びランプ駆動基板ボックス４４０等が、裏側から裏箱４１０に取付けられるようになっている。
（裏ユニットにおける演出用役物及び振分機構の構成について）
【０１５１】
図２９は、演出用役物に振分機構を備えた状態でフィギュアの正面から示す変則正面図である。図３０は、演出用役物に振分機構を備えた状態で示す背面図である。図３１は、図３０における平面図である。図３２は、図３０における底面図である。図３３は、演出用役物に振分機構を備えた状態で前方から示す斜視図である。図３４は、演出用役物を主要な構成毎に分解して前方から示す斜視図である。図３５は、役物回転体を示す斜視図である。図３６は、役物回転体をフィギュアを正面として示す変則正面図である。図３７は、役物回転体のフィギュア側を分解して示す斜視図である。図３８は、役物回転体の装飾部材側を分解して示す斜視図である。図３９は、役物回転体における第一演出樋の回動駆動機構を示す図である。図４０は、図３１におけるＢ−Ｂ断面図である。図４１は、図３１におけるＣ−Ｃ断面図である。図４２は、図２６におけるＤ−Ｄ断面図である。図４３は、演出用役物における遊技球の排出経路を説明するための分解斜視図である。
【０１５２】
図示するように、演出用役物４３０は、上下方向に延びる軸芯周りに回転可能とされた役物回転体４３２と、役物回転体４３２の周方向の所定範囲内が外部に露出するような開口部４４４を有した演出用役物ベース４４６と、演出用役物ベース４４６の下側に配置され役物回転体４３２を回転駆動させる回転駆動ユニット４４８と、演出用役物ベース４４６の開口部４４４を閉鎖し透明部材からなる第一閉鎖部材４５０、及び第二閉鎖部材４５２とを主に備えている（図３４参照）。
【０１５３】
また、演出用役物４３０には、透明な第二閉鎖部材４５２を介してセンター役物３００における枠状装飾体３７０の所定範囲（具体的には、右枠３７０ｃ）に光を照射するための光源４５４が備えられている。この光源４５４は、上記の光源３８０と同様に、複数のＬＥＤ４５６と、ＬＥＤ４５６が取付けられる光源基板４５８とから構成されており、役物回転体４３２の長さ（上下方向の長さ）と略同じ長さの光源基板４５８に、ＬＥＤ４５６が列状に取付けられている（図３４参照）。
【０１５４】
この演出用役物４３０における役物回転体４３２は、フィギュア４３４等を保持する役物回転体本体４６０を備えている。この役物回転体本体４６０は、上下に配置された円盤状の天板部４６２及び底板部４６４と、天板部４６２と底板部４６４とで形成される円筒空間を、円周方向に分割して二つの空間（球流通空間４６０ａと装飾空間４６０ｂ）を形成する隔壁部４６６とを備えている（図３７及び図３８参照）。
【０１５５】
この役物回転体本体４６０の天板部４６２には、その上面中心に軸受溝４６２ａが形成されていると共に、上下方向に貫通し遊技球が通過可能な長孔４６２ｂが形成されている。この長孔４６２ｂは、隔壁部４６６によって区画された一方の空間（球流通空間４６０ａ）と連通するように形成されていると共に、球流通空間４６０ａの周方向端部（図３６において左側端部）近傍に配置されている。
【０１５６】
一方、役物回転体本体４６０の底板部４６４には、その略中心に配置される開口４６４ａと、球流通空間４６０ａ側に配置され円弧状に列設された複数の通孔４６４ｂとが備えられており、開口４６４ａ及び通孔４６４ｂは上下方向に貫通した形態とされている（図３７及び図３８参照）。
【０１５７】
また、役物回転体４３２には、隔壁部４６６によって区画された球流通空間４６０ａ内に、所定のキャラクタを立体的にデフォルメして造形したフィギュア４３４と、フィギュア４３４の略中心に向けて長孔４６２ｂを通過した遊技球を役物回転体４３２内に放出する球放出部材４６８と、球放出部材４６８の下方に配置され左右方向に延びると共に左右方向の略中心で水平方向に延びる軸（後述する支持軸４７４）周りに回動可能とされた第一演出樋４７０と、第一演出樋４７０の下方に配置された第二演出樋４７２とを更に備えている。
【０１５８】
これら球放出部材４６８、第一演出樋４７０および第二演出樋４７２は、いずれも、遊技球が転動する態様を視認できるように透明部材で構成されている。
【０１５９】
このフィギュア４３４は、片手４３４ａを前方向に差し出した態様で配置されている。また、フィギュア４３４には、片手４３４ａの真上に支持軸４７４が支持されている。この支持軸４７４は、前後方向を長手方向とする軸である。即ち、片手４３４ａと支持軸４７４とが略平行となる。第一演出樋４７０は、フィギュア４３４の片手４３４ａに支えられるように片手４３４ａに固定して配置されていると共に、支持軸４７４に支持されている。
【０１６０】
この支持軸４７４は、フィギュア４３４の片手４３４ａおよび第一演出樋４７０と一体的に構成されていると共に、所定の角度範囲内で回転自在に構成されている（詳細は後述する）。なお、支持軸４７４は、隔壁部４６６によって軸支されると共に、片手４３４ａ側とは反対側の端部が隔壁部４６６を貫通して装飾空間４６０ｂ側へ延びだしている（図３８参照）。
【０１６１】
また、第一演出樋４７０の下方に配置された第二演出樋４７２は、一方の端（本実施形態では右端４７２ａ）から他方の端（本実施形態では左端４７２ｂ）にかけて傾斜している。なお、第一演出樋４７０及び第二演出樋４７２は、平面視において役物回転体４３２の周方向に沿った円弧形状とされており、その外形が役物回転体本体４６０の円筒外周から突出しないような形態となっている（図３５及び図４２等を参照）。
【０１６２】
また、役物回転体４３２には、球流通空間４６０ａ内に、支持軸４７４の下方であって且つ左側には第一の演出口４７６が、支持軸４７４の下方であって且つ右側には第二演出樋４７２に連通する第二演出樋誘導口４７８が、それぞれ形成されている。支持軸４７４が反時計回りの方向に回転限界まで回転したとき、第一演出樋４７０の左端４７０ｂが第一の演出口４７６の上方に位置する。一方、支持軸４７４が時計回りの方向に回転限界まで回転したとき、第一演出樋４７０の右端４７０ａが第二演出樋誘導口４７８の上方に位置する。
【０１６３】
なお、この第一演出樋４７０は、その両端の右端４７０ａと左端４７０ｂとを同じ高さ（水平状態）となるようにすると、中心部分が右端４７０ａ及び左端４７０ｂよりも下方の位置となるような形状となっている。つまり、第一演出樋４７０は中央が下がった形状となっている。これにより、第一演出樋４７０が略水平状態の時に、球放出部材４６８から放出された遊技球が供給されると、第一演出樋４７０上を左右方向に揺動するような動きをさせることができるようになっている（図２９参照）。
【０１６４】
第一演出樋４７０での遊技球の動きを詳述すると、図２９に示すように、第一演出樋４７０に供給される遊技球は、球放出部材４６８により右方向に向かう運動ベクトル（所定の初速度）を付与された上で第一演出樋４７０の略中央付近に落下供給されるため、第一演出樋４７０に供給された遊技球は、第一演出樋４７０の右端４７０ａへ向かって転動することとなる。その際に、第一演出樋４７０は、左右両端４７０ａ，４７０ｂが中央よりも高くなっているので、右端４７０ａ向かって転動する遊技球は、坂を登るような状態となり重力の作用によって速度が徐々に減速し、遊技球の転動が停止すると今度は第一演出樋４７０の中央に向かって転動を開始して、左右よりも低い中央に遊技球が戻ってくる。なお、右方向の運動ベクトルが大きくて減速しきれずに遊技球が右端４７０ａに到達した場合、第一演出樋４７０が略水平状態の時は、第一演出樋４７０の右端４７０ａと第二演出樋誘導口４７８とが非連通状態となっているので、遊技球は第二演出樋誘導口４７８へと誘導されず隔壁部４６６に衝突して反射し、第一演出樋４７０の中央つまり左端４７０ｂに向かって転動することとなる。
【０１６５】
そして、第一演出樋４７０の右端４７０ａ側から中央側に向かった遊技球は、坂を下るような状態となり、中央に向かうに従って転動速度が速くなるので、第一演出樋４７０の中央を通り過ぎて、今度は左端４７０ｂに向かって坂を登ることとなる。そして、中央から左端４７０ｂへ向かった遊技球は、重力の作用により転動速度が徐々に減速して停止すると、今度は左端４７０ｂ側から中央側、つまり、右端４７０ａ側に向かって転動を開始する。なお、第一演出樋４７０が略水平状態の時は、第一演出樋４７０の左端４７０ｂと第一の演出口４７６とが非連通状態となっているので、遊技球は第一の演出口４７６へと誘導されず、遊技球の転動速度が速くて停止できず左端４７０まで到達した場合は、隔壁部４６６に衝突して反射し、第一演出樋４７０の中央つまり右端４７０ａに向かって転動するようになる。
【０１６６】
このように、遊技球が上記の動作を繰り返すことで、第一演出樋４７０上を左右方向に揺動するように転動することとなり、第一演出樋４７０の右端４７０ａと左端４７０ｂとの間を遊技球が行ったり来たりすることで、遊技者に対して何れの端から遊技球が落下するのかをハラハラ・ドキドキさせることができ、興趣の高められる動きができるようになっている。
【０１６７】
また、第二演出樋４７２の左端４７２ｂの下方には、第二の演出口４８０が形成されている。即ち、第一の演出口４７６と第二の演出口４８０とが上下に並んで形成されている。これら、第一の演出口４７６及び第二の演出口４８０は、隔壁部４６６を貫通して装飾空間４６０ｂ側と連通しており、受入れた遊技球が装飾空間４６０ｂ側へ送られるようになっている。なお、隔壁部４６６の装飾空間４６０ｂ側には、第一の演出口４７６及び第二の演出口４８０に受入れられた遊技球を、役物回転体本体４６０の円筒外周まで誘導する第一誘導部４６６ａ及び第二誘導部４６６ｂが形成されている。
【０１６８】
ここで、第一の演出口４７６は青色、第二演出樋誘導口４７８および第二の演出口４８０は赤色で構成されている。これにより、第一演出樋４７０による一球の遊技球を左右に振り分けつつ、当たりであるかハズレであるかについては、上下に並んで形成された各演出口への遊技球の受入れによって判断できるようになっている。
【０１６９】
ところで、役物回転体本体４６０では、図４０に示すように、天板部４６２における長孔４６２ｂの後端が、隔壁部４６６の一般形状に対して装飾空間４６０ｂ側に食込んだ位置に配置されていると共に、長孔４６２ｂが球流通空間４６０ａのみと連通するように、長孔４６２ｂの下方所定範囲（第一演出樋４７０の略回動上端まで）において、隔壁部４６６が装飾空間４６０ｂ側に突き出すことで球流通空間４６０ａ側が窪んだ凹部４６６ｃが形成されている。
【０１７０】
一方、球放出部材４６８は、天板部４６２の下側に配置される扇形状の装飾部４６８ａと、装飾部４６８ａの一方の端部（左端部）から下方に延び役物回転体本体４６０における隔壁部４６６の凹部４６６ｃ前側上部を覆う被覆部４６８ｂと、被覆部４６８ｂの下方で凹部４６６ｃの底面と略連続し第一演出樋４７０の中央部上方付近に延び出す放出部４６８ｃとを備えている。
【０１７１】
この球放出部材４６８が、役物回転体本体４６０に取付けられることで、後述する演出用役物ベース４４６の落下口５３６ｂに落下した遊技球が、長孔４６２ｂ内の前側部分から進入し、被覆部４６８ｂにより凹部４６６ｃへと誘導される。その際に、被覆部４６８ｂの上方で遊技球の移動に沿うように長孔４６２ｂが形成されている、つまり、長孔４６２ｂにより被覆部４６８ｂの上側部分が高くなっているので、遊技球が天板部４６２の裏側と当接することなく凹部４６６ｃへ良好に誘導されるようになっている。
【０１７２】
そして、被覆部４６８ｂと凹部４６６ｃとにより遊技球を凹部４６６ｃの底面まで降下させ、凹部４６６ｃの底面で遊技球をバウンドさせてその運動エネルギーを減衰させた上で、凹部４６６ｃの底面から放出部４６８ｃを介して第一演出樋４７０に供給させることができるようになっている（図４０参照）。
【０１７３】
この凹部４６６ｃで遊技球をバウンドさせることで、透明部材からなり強度の比較的弱放出部４６８ｃに直接遊技球が当たるのを防止して放出部４６８ｃが破損するのを防止している。また、バウンドにより運動エネルギーを減衰させてから、放出部４６８ｃを介して第一演出樋４７０に遊技球を供給するので、遊技球の供給による第一演出樋４７０への衝撃を緩和させると共に、第一演出樋４７０上を遊技球が良好に転動できるようになっている。
【０１７４】
更に、役物回転体４３２には、球流通空間４６０ａ内に、第二演出樋４７２の下方の隔壁部４６６に取付けられ回転軸４８２が隔壁部４６６を貫通して装飾空間４６０ｂ側に突出する球振分部モータ４８４と、球振分部モータ４８４を覆うように前側に配置され表面がメッキ装飾されたモータカバー４８６とが備えられている。このモータカバー４８６によって球振分部モータ４８４が、遊技者から見えないようになっている。なお、本例では、球振分部モータ４８４がステッピングモータとされている。
【０１７５】
また、モータカバー４８６の前側には、透明部材からなるシャンデリア状の装飾レンズ４８８と、装飾レンズ４８８の前面を覆うと共に外面が役物回転体本体４６０の外周面と略一致するような部分円筒面形状とされた透明部材からなるカバーレンズ４９０とが備えている。モータカバー４８６のメッキ装飾と、透明な装飾レンズ４８８とによって、煌びやかでゴージャスな印象を与えられるようにしている。
【０１７６】
このカバーレンズ４９０は、上下方向に延びる部分円筒形状のカバー部４９０ａと、カバー部４９０ａの下端から役物回転体本体４６０の回転中心に向かって略水平に延びる板状の底部４９０ｂとを備え、断面が略Ｌ字形状とされている（図４１参照）。なお、図示は省略するが、カバーレンズ４９０のカバー部４９０ａには、文字等を図案化した磨り装飾が施されている。
【０１７７】
このカバーレンズ４９０は、カバーレンズ４９０における底部４９０ｂの外側端部近傍の下側に配置される光入射部４９０ｃと、光入射部４９０ｃから底部４９０ｂ内に入射した光をカバー部４９０ａと底部４９０ｂとが接する方向に反射誘導させる第一光誘導部４９０ｄと、カバー部４９０ａと底部４９０ｂとが接する位置に配置され第一光誘導部４９０ｄからの光をカバー部４９０ａの上端面の方向に反射誘導させる第二光誘導部４９０ｅと、カバー部４９０ａの上端面に配置され第二光誘導部４９０ｅからの光をカバーレンズ４９０の内側斜め上方に向けて外部に放射する光放射部４９０ｆとを更に備えている。
【０１７８】
このカバーレンズ４９０における第一光誘導部４９０ｄは、底部４９０ｂの外側端部（役物回転体本体４６０の中心に向かう側の端部）を、その上側が面取り（Ｃ面取り）状に切り欠かれるような形状とすることで形成されている。また、第二光誘導部４９０ｅは、カバー部４９０ａと底部４９０ｂとが接する部分を、内外共に面取り（Ｃ面取り）された形状とすることで形成されている。更に、光放射部４９０ｆは、カバー部４９０ａの上端を、カバーレンズ４９０の内側が低くなるようにして、その垂直線がフィギュア４３４の方向を向くような面取り（Ｃ面取り）形状とすることで形成されている。
【０１７９】
このカバーレンズ４９０によると、光入射部４９０ｃから内部に入射された光をカバー部４９０ａ上端の光放射部４９０ｆまで導いて、その光放射部４９０ｆから放射させて、カバーレンズ４９０の上方に配置されたフィギュア４３４、第一演出樋４７０、及び第二演出樋４７２を下側から照明できるようになっている。
【０１８０】
なお、カバーレンズ４９０の第一光誘導部４９０ｄに接するように、表面がメッキ処理されたモータカバー４８６の一部が配置されており、このモータカバー４８６においても光が反射することで第二光誘導部４９０ｅ方向に反射される光を相対的に多くすることができるようになっている。
【０１８１】
一方、図３８に示すように、役物回転体４３２における隔壁部４６６によって区画された他方の空間、つまり、装飾空間４６０ｂ内には、第一演出樋４７０を所定角度範囲内に回動させるための回動駆動機構４９２が備えられている。この回動駆動機構４９２は、第一演出樋４７０の支持軸４７４と一体回転する第一リンク部材４９４と、球振分部モータ４８４の回転軸４８２と一体回転する第二リンク部材４９６とを備えている。
【０１８２】
この回動駆動機構４９２は、第一リンク部材４９４の先端側に形成されたスリット４９４ａ内に、第二リンク部材４９６の先端に突設されたピン４９６ａを挿入することで第一リンク部材４９４と第二リンク部材４９６とが互いにリンクされて、球振分部モータ４８４の回転が第一演出樋４７０に伝達されるようになっている（図３９参照）。詳述すると、球振分部モータ４８４の駆動により第二リンク部材４９６が回転すると、その先端のピン４９６ａが、回転軸４８２を中心とした所定半径の円周上を移動することとなる。この移動するピン４９６ａによって第一リンク部材４９４のスリット４９４ａが内側から押されると共に、第一リンク部材４９４が支持軸４７４により回転以外の移動が規制されているので、スリット４９４ａ内でピン４９６ａが摺動し、これにより、第一リンク部材４９４が支持軸４７４を中心として回動することとなる。
【０１８３】
この回動駆動機構４９２は、図示するように、第一リンク部材４９４の長さが、第二リンク部材４９６の長さの約二倍の長さとされている。これにより、球振分部モータ４８４によって第二リンク部材４９６が所定角度回動させられると、第二リンク部材４９６及び第一リンク部材４９４を介して支持軸４７４が所定角度の約１／３の角度、回動するようになっている。つまり、球振分部モータ４８４の回転角度が約１／３になって、第一演出樋４７０を軸支する支持軸４７４に伝達されるので、球振分部モータ４８４の回転誤差に対して第一演出樋４７０の回転誤差が約半分となり、第一演出樋４７０の回動制御をより綿密に制御できると共に、第一演出樋４７０を滑らかに回動させることができるようになっている。
【０１８４】
なお、回動駆動機構４９２には、球振分部モータ４８４の回転軸４８２に対して第二リンク部材４９６とは異なる方向に延出すると共に、第二リンク部材４９６と一体に構成された検知片４９８と、検知片４９８を検知可能とされ球振分部モータ４８４における回転軸４８２の近傍で隔壁部４６６に支持される球振分部モータセンサ５００とが備えられている。
【０１８５】
この検知片４９８と、球振分部モータセンサ５００とによって、球振分部モータ４８４の回転位置を検出することができ、その検出によって球振分部モータ４８４の原点調整を行って、第一演出樋４７０の回動が良好な状態で行うことができるようになっている。
【０１８６】
この検知片４９８は、図３９（Ｂ）に示すように、第二リンク部材４９６の延びる方向に対して、１８０度反対側ではなく、左右方向（図中、斜め右上方向）に延びるように配置されており、回転駆動機構４９２の上下方向の長さが長くなるのを防止できるようになっている。また、検知片４９８には、第一リンク部材４９４と対向する側面に、湾曲形状の逃し部４９８ａが形成されており、回転駆動機構４９２が可動した際に、第一リンク部材４９４と検知片４９８とが当接するのを防止できるようになっている。
【０１８７】
また、役物回転体４３２には、装飾空間４６０ｂ内に、「歌姫伝説」の文字を点灯・点滅する装飾部材５０２が備えられている。この装飾部材５０２は、役物回転体本体４６０における装飾空間４６０ｂの周方向全体ではなく、所定範囲内のみを覆う大きさとされている。詳しくは、装飾部材５０２の周方向の大きさが、隔壁部４６６から外周に向かって延びる第一誘導部４６６ａ及び第二誘導部４６６ｂが、役物回転体４３２の外側に露出するような大きさとされている（図３５参照）。
【０１８８】
この装飾部材５０２は、役物回転体本体４６０の円筒外周と略一致するような部分円筒面形状とされ「歌姫伝説」の文字を備え透光性を有する部材からなる装飾レンズ５０４と、装飾レンズ５０４の裏側に配置される板状の拡散レンズ５０６と、拡散レンズ５０６の裏側に配置され基板５０８の所定位置に複数のＬＥＤ５１０が備えられた光源基板５１２とを備えている。
【０１８９】
この装飾部材５０２の拡散レンズ５０６は、装飾レンズ５０４と対向する面で装飾レンズ５０４における「歌姫伝説」の装飾と対応する位置に配置され上下方向に延びる複数の帯状凸レンズからなる光放射部５０６ａと、光放射部５０６ａとは反対側の面に備えられ上下方向に対して直交する方向に延びる複数のＶ溝からなる光反射部５０６ｂと、光反射部５０６ｂのＶ溝が延びる方向に対して直角方向（上下方向）に位置する端部に形成された平坦面からなる光入射部５０６ｃとを備えている（図３８及び図４１参照）。
【０１９０】
本例の拡散レンズ５０６は、上下方向の中間部で光放射部５０６ａの形成された部位に貫通する所定幅の開口部５０６ｄが形成されており、この開口部５０６ｄ内周の上面及び下面が夫々光入射部５０６ｃとされている。
【０１９１】
また、装飾部材５０２の光源基板５１２は、図示するように、その基板５０８が拡散レンズ５０６の裏面と接するぐらいに接近した位置に配置されると共に、ＬＥＤ５１０からの光が拡散レンズ５０６の光入射部５０６ｃに照射されるように、ＬＥＤ５１０の発光部が上下方向を向くように基板５０８に取付けられている。つまり、ＬＥＤ５１０が、拡散レンズ５０６の上下端部及び開口部５０６ｄに形成された光入射部５０６ｃと夫々対面するように基板５０８に取付けられている。
【０１９２】
この装飾部材５０２は、光源基板５１２のＬＥＤ５１０によって上下方向に発せられた光が、拡散レンズ５０６の光放射部５０６ａにより形成される面に対して直角方向に配置された光入射部５０６ｃに照射されると、その光入射部５０６ｃから拡散レンズ５０６内へと進入する。そして、拡散レンズ５０６内に進入した光のうち、装飾レンズ５０４が配置された側とは反対側（基板５０８が配置された側）に向かった光が、光反射部５０６ｂに到達してその複数のＶ溝により装飾レンズ５０４側（光放射部５０６ａ側）に反射して、光放射部５０６ａから装飾レンズ５０４へと放射される。その際に、この光放射部５０６ａには、上下方向に延びる複数の帯状凸レンズを備えているので、光放射部５０６ａから放射される光が上下方向に対して直角方向に拡散するように放射される。
【０１９３】
この装飾部材５０２によると、板状に形成された拡散レンズ５０６の端部に設けられた光入射部５０６ｃから光を入射させると、拡散レンズ５０６の一方の面に形成された複数のＶ溝からなる光反射部５０６ｂによって他方の面に形成された光放射部５０６ａ側に反射され、光放射部５０６ａ全体から光を放射することができ、装飾レンズ５０４全体を面状に光らせることができるようになっている。
【０１９４】
ところで、装飾レンズの裏側に光源を配置した場合、光源と装飾レンズとの間が近すぎると、光源からの光が充分に拡散する前に装飾レンズに到達してしまい、光源が有るところと無いところで装飾レンズの光具合が異なって面状に発光しない問題がある。そのため、装飾レンズに対して光源を遠ざけることで、光を充分に拡散させて装飾レンズを面状に発光させるようにすることが考えられるが、この場合、装飾レンズと光源との距離が長くなるので、装飾部材全体の厚さが厚くなり、スペース等の関係により装飾レンズを面状に発光させることができなくなり、効果的な光装飾が行えない問題がある。
【０１９５】
しかしながら、この装飾部材５０２によると、拡散レンズ５０６の面に沿うような方向から入射した光が、拡散レンズ５０６の面から面状に放射することができるので、拡散レンズ５０６の裏側にＬＥＤ等の光源を配置する必要がなく、装飾部材５０２の厚さを可及的に薄くすることができ、装飾部材の設置スペースに関係なく装飾レンズ５０４を良好な状態で面状に発光させて、効果的な光装飾が行えるようになっている。
【０１９６】
本例の役物回転体４３２には、図４１に示すように、役物回転体本体４６０における天板部４６２と球放出部材４６８との間に配置される回転体上基板５１４が更に備えられいる。この回転体上基板５１４の下面には複数のＬＥＤ５１６が取付けられており、このＬＥＤ５１６の発光によって、球放出部材４６８を介してフィギュア４３４、第一演出樋４７０、及び第二演出樋４７２等を上から照明するようになっている。
【０１９７】
また、役物回転体４３２には、役物回転体本体４６０における底板部４６４の下側に配置される回転体下基板５１８が更に備えられている。この回転体下基板５１８は、その上面側で底板部４６４における通孔４６４ｂと対応した位置に光源としてのＬＥＤ５２０が複数取付けられていると共に、その下面側の中央には役物回転体４３２に備えられた球振分部モータ４８４、球振分部モータセンサ５００、光源基板５１２、回転体上基板５１４、回転体下基板５１８、及び振分機構４３８を電気的に接続するための接続コネクタ５２２が複数（本例では三つ）備えられている。
【０１９８】
なお、三つの接続コネクタ５２２のうち、役物回転体本体４６０の回転中心に位置する中央の接続コネクタ５２２は、球振分部モータ４８４や球振分部モータセンサ５００等へ接続される回転体下基板５１８と接続しており、役物回転体４３２の回転に伴って接続コネクタ５２２が回転しても、接続コネクタ５２２と接続される接続プラグから延びる配線コードの捩れを可及的に少なくすることができ、捩れにより配線コードが断線するリスクを低減させることができるようになっている。
【０１９９】
更に、役物回転体４３２には、回転体下基板５１８の下側に配置され回転駆動ユニット４４８からの回転駆動を役物回転体４３２に伝達させるための回転接続部材５２４が備えられている。この回転接続部材５２４を役物回転体本体４６０の底板部４６４に所定のビスを用いて固定することで、回転接続部材５２４と底板部４６４とにより回転体下基板５１８が挟持固定されるようになっている。
【０２００】
この回転接続部材５２４は、役物回転体本体４６０の軸芯と略同芯となり回転体下基板５１８に取付けられた複数の接続コネクタ５２２全体が下方から望める大きさの円形状に開口する開口部５２４ａと、開口部５２４の周縁近傍から下方に延び出した円筒部５２４ｂと、円筒部５２４ｂの内周に配置され上下方向に延びる複数（本例では二つ）の突起５２４ｃとを備えている（図３２及び図３４参照）。この開口部５２４ａは、その大きさが接続コネクタ５２２と接続する接続プラグ（図示しない）が通過可能な大きさとされ、開口部５２４ａを通って回転する役物回転体４３２を電気的に接続できるようになっている。
【０２０１】
本例の演出用役物４３０における回転駆動ユニット４４８は、役物回転体４３２を回転駆動させるための回転部モータ５２６と、回転部モータ５２６の回転軸に固定される第一ギア５２８と、第一ギア５２８と噛合する第二ギア５３０ａを有し役物回転体４３２の回転接続部材５２４と接続すると共に役物回転体４３２を下側から支持する台座ギア５３０と、台座ギア５３０の回転位置を検出することで回転部モータ５２６の回転位置を検出する回転部モータセンサ５３２と、回転部モータ５２６、第一ギア５２８、台座ギア５３０、及び回転部モータセンサ５３２を所定位置に支持する回転駆動ユニットケーシング５３４とを備えている（図３４参照）。
【０２０２】
この回転駆動ユニット４４８における台座ギア５３０には、上下が開放され回転接続部材５２４の円筒部５２４ｂ内に挿入可能な円筒状の台座円筒部５３０ｂと、台座円筒部５３０ｂの上端部で円筒部５２４ｂ内の突起５２４ｃが嵌合可能な切欠き部５３０ｃと、台座円筒部５３０ｂの下部外周に形成され第一ギアと噛合し外形が第一ギア５２８の約二倍の径とされた第二ギア５３０ａと、第二ギアの下側外周に形成され半径方向外側に突出する略扇形状の検出片５３０ｄとを主に備えている。
【０２０３】
また、回転駆動ユニット４４８の回転駆動ユニットケーシング５３４には、台座ギア５３０の台座円筒部５３０ｂの内部と連通するような大きさで円形の開口部５３４ａと、開口部５３４ａの外側で周方向所定間隔に備えられ台座ギア５３０を回転可能に支持する複数（本例では三つ）の支持ローラ５３４ｂとが備えられている（図３２参照）。複数の支持ローラ５３４ｂ上に台座ギア５３０が載置されることで、台座ギア５３０が回転可能に支持されるようになっている。
【０２０４】
この回転駆動ユニット４４８は、台座ギア５３０の台座円筒部５３０ｂを回転接続部材５２４の円筒部５２４ｂ内に挿入すると共に、台座円筒部５３０ｂの切欠き部５３０ｃと円筒部５２４ｃ内の突起５２４ｃとを互いに嵌合させることで、台座ギア５３０と回転接続部材５２４とを一体回転可能に接続することができ、回転部モータ５２６の駆動により役物回転体４３２を回転させることができるようになっている。
【０２０５】
また、回転駆動ユニット４４８の台座ギア５３０により、役物回転体４３２の下側を回転可能に軸支するようになっている。なお、回転駆動ユニット４４８は、役物回転体４３２を回転駆動させるだけでなく、台座ギア５３０を介して回転駆動ユニットケーシング５３４の支持ローラ５３４ｂにより役物回転体４３２の重量も良好に支持できるようになっている。
【０２０６】
この回転体駆動ユニット４４８における回転駆動ユニットケーシング５３４の開口部５３４ａ及び台座ギア５３０の台座円筒部５３０ｂとにより、役物回転体４３２下部に備えられた接続コネクタ５２２が下方から望めるようになっていると共に、図示しない接続プラグを回転体駆動ユニット４４８の下側から通過させて接続コネクタ５２２に接続できるようになっている（図３２参照）。
【０２０７】
なお、具体的な構成については図示を省略するが、役物回転体４３２下部の接続コネクタ５２２に接続される接続プラグは、裏箱４１０の演出用役物４３０が固定支持される部位の下方に形成された回転体中継基板固定部４１０ａ（図２５及び図２８参照）に取付けられる回転体中継基板（図示せず）から所定の弛みを持たせた長さの配線コード（ハーネス）を介して接続されている。この接続コネクタ５２２と回転体中継基板との距離は、回転する接続コネクタ５２２と裏箱４１０に固定される回転体中継基板との間を、不具合が発生することなく配線コードが捩れることのできる距離となっているので、回転する役物回転体４３２と良好な状態で電気的に接続することができると共に、配線コードが断線するリスクが可及的に低くなるようになっている。
【０２０８】
演出用役物４３０における演出用役物ベース４４６は、上側に配置され略円盤形状のベース天板部５３６と、下側に配置されるベース底板部５３８と、ベース天板部５３６とベース底板部５３８との外周縁同士を連結すると共にパチンコ機１に対して前側が開放されたベース外周壁部５４０とを主に備えている（図３４参照）。
【０２０９】
この演出用役物ベース４４６におけるベース天板部５３６には、その上面に役物誘導路４３６から供給された遊技球を演出用役物ベース４４６の後側に誘導する上部球誘導路５３６ａと、上部球誘導路５３６ａから外れた位置にベース天板部５３６を貫通するように穿設され遊技球が通過可能な大きさで円形の落下口５３６ｂとが備えられている（図３１参照）。この上部球誘導路５３６ａは、役物誘導路４３６によりベース天板部５３６の図中左側から供給された遊技球を、ベース天板部５３６の中心に対して周方向に遊技球を誘導した上で演出用役物ベース４４６の後側に誘導するようになっている。
【０２１０】
上部球誘導路５３６ａは、役物誘導路４３６側から落下口５３６ｂの方向へ延びる導入部と、導入部から演出用役物ベース４４６の裏側へ延びる排出誘導部とを備えており、図３４にその断面を拡大して示すように、上部球誘導路５３６ａは、導入部から演出用役物ベース４４６の裏側へ向かって低くなるように傾斜させられており、上部球誘導路５３６ａに供給された遊技球が、自然と演出用役物ベース４４６の裏側へ向かうようになっている。
【０２１１】
ベース天板部５３６における落下口５３６ｃは、役物回転体４３２が、フィギュアが視認できる演出位置にある時に、役物回転体４３２における長孔４６２ｂの前端と略一致するような位置に配置されている。なお、ベース天板部５３６には、中心に役物回転体本体４６０の軸受溝４６２ａよりも若干大きい径の通孔が備えられている（図３４参照）。
【０２１２】
演出用役物ベース４６６のベース底板部５３８には、その中心に役物回転体本体４６０の下側から下方に突出する回転接続部材５２４の円筒部５２４ｂが通過可能な通孔５３８ａが形成されている（図３４参照）。
【０２１３】
本例の演出用役物ベース４６６におけるベース外周壁部５４０には、フィギュア４３４が視認可能となるように、役物回転体４３２が演出位置に位置した時に、役物回転体４３２の第一誘導部４６６ａ及び第二誘導部４６６ｂと対応する位置にベース外周壁部５０を貫通するように第一排出受入口５４０ａ及び第二排出受入口５４０ｂが形成されており、役物回転体４３２の第一の演出口４７６又は第二の演出口４８０に受入れた遊技球が、第一誘導部４６６ａ又は第二誘導部４６６ｂに誘導されて第一排出受入口５４０ａ又は第二排出受入口５４０ｂを通ってベース外周壁部５４０の裏側、つまり、演出用役物４３０の後側に排出されるようになっている。
【０２１４】
また、このベース外周壁部５４０は、図３０に示すように、その後側に、べース天板部５３６の上部球誘導路５３６ａと連通する球排出流路５４２と、球排出流路５４２とは分離した流路とされ第一排出受入口５４０ａ及び第二排出受入口５４０ｂと連通する演出球排出流路５４４とを備えている。これら球排出流路５４２及び演出球排出流路５４４は、後側が開放された溝状に形成されており、演出用役物４３０が裏箱４１０に取付けられることで、それらの後側が裏箱４１０により閉鎖され、球排出流路５４２及び演出球排出流路５４４内を遊技球が良好に流通できるようになっている。
【０２１５】
この球排出流路５４２は、演出球排出流路５４４を挟むように球排出流路上５４２ａと球排出流路下５４２ｂとに、上下に分割された構造となっており、図示は省略するが、裏箱４１０には、球排出流路上５４２ａの下端と、球排出流路下５４２ｂの上端とに対応する位置に、遊技球が通過可能な通孔が形成されていると共に、裏箱４１０の裏側に配置される演出用役物裏球経路上部材４２４が、球排出流路上５４２ａから裏箱４１０外へ排出された遊技球を球排出流路下５４２ｂへ戻すようになっている（図４３参照）。なお、この球排出流路５４２には、流路内を通過する遊技球を検出するための球排出流路センサ５４６が備えられている。
【０２１６】
また、演出球排出流路５４４は、図示するように、上下方向に異なる位置に配置された第一排出受入口５４０ａ、第二排出受入口５４０ｂを通過した遊技球が、流路内で合流して下方へ排出するような流路となっており、第一排出受入口５４０ａからの遊技球のみが検出可能とされた第一演出球排出流路センサ５４８と、第一排出受入口５４０ａ及び第二排出受入口５４０ｂからの遊技球を検出可能とされた第二演出球排出流路センサ５５０とを備えている。
【０２１７】
この第一演出球排出流路センサ５４８と第二演出球排出流路センサ５５０とによって、所定時間内に第一演出球排出流路センサ５４８と第二演出球排出流路センサ５５０とで遊技球の通過が検出され場合は、第一の演出口４７６に受入れられて第一排出受入口５４０ａを通った遊技球であり、第二演出球排出流路センサ５５０のみ遊技球の通過が検出された場合は、第二の演出口４８０に受入れられて第二排出受入口５４０ｂを通った遊技球であることが判るようになっている。つまり、役物回転体４３２における第一演出樋４７０上に供給された遊技球が、第一演出樋４７０の回動により何れの側に振分けられたかが判るようになっている。
【０２１８】
これら球排出流路５４２及び演出球排出流路５４４を流通した遊技球は、その下側に配置された演出用役物裏球経路下部材４２６へと流下し、この演出用役物裏球経路下部材４２６内で合流して、遊技盤５から外部へ排出されるようになっている（図４３参照）。
【０２１９】
また、ベース外周壁部５４０には、その右側端部内面に光源４５４を保持するための取付段部５４０ｃが備えられている。この取付段部５４０ｃに光源４５４が取付けられることで、光源４５４のＬＥＤ４５６が発光部を略正面に向けた状態で上下方向に所定間隔で列設されるようになっている。
【０２２０】
本例の演出用役物４３０における第一閉鎖部材４５０及び第二閉鎖部材４５２は、演出用役物ベース４４６の外周と略沿うように部分円筒面形状に形成されており、演出用役物ベース４４６の開放された前側を覆って閉鎖することで、役物回転体４３２の球流通空間４６０ａ内に進入した遊技球が、第一の演出口４７６及び第二の演出口４８０以外から排出されるのを防止するものである。
【０２２１】
この第一閉鎖部材４５０は、その下部に切欠き部４５０ａが形成されており、この切欠き部４５０ａにより、役物回転体４３２の下側外周が表面に露出するようになっている。これによって、演出用役物４３０を裏箱４１０に取付けた状態でも、切欠き部４５０ａを介して役物回転体４３２を外部から回転操作することができるようになっている（図１９参照）。なお、この切欠き部４５０ａは、図２６に示すように、裏ユニット２７０の前側に配置されるセンター役物３００によって隠蔽される位置に備えられており、センター役物３００を遊技盤５から取り外さないと、切欠き部４５０ａを介して役物回転体４３２を手動で回転操作できないようになっている。
【０２２２】
また、第一閉鎖部材４５０には、役物回転体４３２内部で球詰まりした際に、細長い棒を差し込んで球詰まりを解消するためのスリット４５０ｂが備えられている。具体的には、後述する第一演出樋４７０及び第二演出樋４７２に夫々対応した位置にスリット４５０ｂが備えられており、第一演出樋４７０及び第二演出樋４７２で球詰まりが発生した場合に、細長い棒を差し込んで球詰まりを解消できるようになっている。
【０２２３】
この第二閉鎖部材４５２は、部分円筒面形状の円筒部４５２ａと、円筒部４５２ａの周方向一端側に配置され左右方向外側に延びる平坦部４５２ｂと、平坦部４５２ｂとは反対側の円筒部４５２ａの周方向他端側に配置され前後方向外側に延び正面視中央部が外側に湾曲した湾曲部４５２ｃとを備えている。
【０２２４】
また、第二閉鎖部材４５２は、演出用役物４３０に備えられ遊技盤ベース２６６の裏側に配置された光源４５４からの光を、遊技盤５前面の所定位置に透過誘導させることのできる光透過部材としての機能が備えられている。詳述すると、この第二閉鎖部材４５２は、平坦部４５２ｂの後面側に配置され光源４５４からの光を内部に入射させる光入射部４５２ｄと、光入射部４５２ｄから入射した光を円筒部４５２ａの周方向に沿って誘導されるように反射誘導する第一光誘導部４５２ｅと、第一光誘導部４５２ｅから誘導された光を湾曲部４５２ｃの延びる方向に沿うように反射誘導させる第二光誘導部４５２ｆと、第二光誘導部４５２ｆから誘導された光を湾曲部４５２ｃ内を介して前面側へ放射する光放射部４５２ｇとを備えている（図４２参照）。
【０２２５】
この第二閉鎖部材４５２は、その光入射部４５２ｄが、円筒部４５２ａと平坦部４５２ｂとが接する部位に配置されていると共に、光入射部４５２ｄの前側に第一光誘導部４５２ｅが配置されており、第一光誘導部４５２ｅは、湾曲部４５２ｃに向かうに従って円筒部４５２ａの厚さが薄くなるように断面略直線状に形成された平面とされている。また、第二光誘導部４５２ｆは、円筒部４５２ａと湾曲部４５２ｃとが接する後側の角部を断面略直線状のＣ面取り状に形成した曲面とされている。
【０２２６】
この第二閉鎖部材４５２によると、光源４５４から発せられた光が、その内部を通って湾曲部４５２ｃ前面の光放射部４５２ｇまで誘導されて光放射部４５２ｇの前側に放射すると共に、湾曲部４５２ｃの前方に配置された装飾カバー３８６（枠状装飾体３７０の右枠３７０ｃ）を照射し、装飾カバー３８６を光装飾できるようになっている。
【０２２７】
また、この第二閉鎖部材４５２によると、部分円筒面形状の円筒部４５２ａ内をその周方向に沿って光を誘導させて光放射部４５２ｇから放射させるようにしているので、光源４５４の光軸に対して光放射部４５２ｇから放射される光軸を所定方向にシフトさせたりずらしたりすることができ、光装飾したい装飾カバー３８６の直後に光源４５４を配置することができなくても装飾カバー３８６に良好に光を誘導して光装飾させることができるようになっている。
【０２２８】
演出用役物ベース４４６の上部に取付けられる振分機構４３８は、図３１に示すように、パチンコ機１に対して前後方向（図４９に示すＸ方向およびＹ方向）に伸縮（移動）するプランジャー５５２ａを有するソレノイド５５２と、第一開閉装置３９８（図４９参照）から受入れられた遊技球を、一球のみ保持できる遊技球保持部材５５４と、プランジャー５５２ａと遊技球保持部材５５４とを連結する連結部材５５６と、連結部材５５６を支持するピン５５８とを有している。
【０２２９】
振分機構４３８における遊技球保持部材５５４には、ピン５５８を中心として半径方向外側に開放され遊技球が一つのみ収容可能なＵ字形状の収容凹部５５４ａと、収容凹部５５４ａの後側端部からピン５５８を中心とした周方向に後方へ延出する延出部５５４ｂとを備えている。この遊技球保持部材５５４における延出部５５４ｂの外周が、上部球誘導路５３６ａの周壁の一部を構成するようになっている。
【０２３０】
振分機構４３８は、ソレノイド５５２の駆動により、遊技球保持部材５５４をピン５５８周りに回動させることができ、詳しくは、遊技球保持部材５５４の収容凹部５５４ａが役物誘導路４３６の誘導方向と略一致する収容位置と、収容凹部５５４ａがベース天板部５３６の落下口５３６ｂと略一致する落下位置との間を回動させることができるようになっている。なお、遊技球保持部材５５４が収容位置にある時には、収容凹部５５４ａと落下口３３６ｂとが一致せず、収容凹部５５４ａに収容された遊技球が落下口３３６ｂに落下しないようになっている。また、遊技球保持部材５５４が落下位置にある時には、役物誘導路４３６からの遊技球は収容凹部５５４ａに収容されないようになっている。
【０２３１】
この振分部材４３８は、遊技球保持部材５５４が収容位置にある時に、役物誘導路４３６から遊技球が供給されると、一つの遊技球のみを収容し、収容凹部５５４ａに遊技球が収容されると、他に供給された遊技球を上部球誘導路５３６ａを介して演出用役物ベース４４６の後側へ排出誘導するようになっている。また、収容凹部５５４ａに遊技球が収容された状態で、ソレノイド５５２を駆動して遊技球保持部材５５４を収容位置から落下位置に回動させると、収容凹部５５４ａに収容された遊技球を落下口３３６ｂ内に落下させることができるようになっている。
【０２３２】
この振分機構４３８には、その下側に下方に突出する突出ピン５６０が備えられている。この突出ピン５６０は、振分機構４３８を演出用役物ベース４４６のベース天板部５３６に取付けることで、ベース天板部５３６の中心に穿設され通孔５３６ｃを貫通してベース天板部５３６の下側に延び出すようになっており、この突出ピン５６０がベース天板部５３６の下側、つまり、演出用役物ベース４４６内に配置された役物回転体４３２（役物回転体本体４６０）の軸受溝４６２ａ内に挿入されることで、役物回転体４３２の上側を回転可能に軸支することができるようになっている。
（裏ユニットにおける第一開閉装置について）
【０２３３】
図４４は、第一開閉装置を左前方から示す斜視図である。図４５は、第一開閉装置を右前方から示す斜視図である。図４６は、第一開閉装置を分解して示す分解斜視図である。
【０２３４】
この第一開閉装置３９８は、第一大入賞口３９８ａを有した下ケーシング５６２（球受入部材）と、下ケーシング５６２の上側に組み付けられ第一大入賞口３９８ａを開閉する第一大入賞口開閉扉３９８ｂ（開閉扉部材）を前後方向にスライド可能に保持する上ケーシング５６４（進退支持部材）と、上ケーシング５６４と下ケーシング５６２との協働により保持されると共に第一大入賞口開閉扉３９８ｂを開閉駆動させる開閉駆動機構５６６とを備えている。
【０２３５】
下ケーシング５６２は、上側が開放された形態とされ、その底部に第一大入賞口３９８ａ内から遊技球を排出する排出口５６２ａが形成されている。第一大入賞口開閉扉３９８ｂは、後方に延びる支持部３９８ｂａを有し全体として平面視Ｔ字形状とされていると共に、支持部３９８ｂａに開閉駆動機構５６６と連結するための連結口３９８ｂｂが形成されている。
【０２３６】
開閉駆動機構５６６は、上下方向に進退可能とされたプランジャー５６８ａを有した第一大入賞口開閉ソレノイド５６８（開閉駆動源、ソレノイド）と、第一大入賞口開閉ソレノイド５６８により上下方向に駆動されるプランジャー５６８ａの動きを前後方向の動きに変換して第一大入賞口開閉扉３９８ｂを前後方向にスライドさせる駆動伝達部材５７０とを備えている。なお、プランジャー５６８ａは、第一大入賞口開閉ソレノイド５６８の下側から進退するように配置されている。
【０２３７】
駆動伝達部材５７０は、詳述すると、第一大入賞口開閉ソレノイド５６８のプランジャー５６８ａ先端と係合されると共に略水平方向に延びプランジャー５６８ａの進退方向及び第一大入賞口開閉扉３９８ｂのスライド方向の何れとも直交する支持軸５７０ａ周りに回転可能な第一片５７０ｂと、第一片５７０ｂと一体回転し支持軸５７０ａから略上方に延びる先端が第一大入賞口開閉扉３９８ｂの連結口３９８ｂｂ内に挿入係合される第二片５７０ｃ（連結突片部）とを備えている。支持軸５７０ａは、段付軸となっており、軸本体５７０ｄに、上述した、第一片５７０ｂ、第二片５７０ｃが一体成形されている。
【０２３８】
また、第一開閉装置３９８には、下ケーシング５６２の排出口５６２ａの下側に第一大入賞口カウントセンサ５７２（入賞検出手段、球検出センサ）が備えられており、この第一大入賞口カウントセンサ５７２によって、第一大入賞口３９８ａに入賞した遊技球を検出できるようになっている。
【０２３９】
この第一開閉装置３９８は、第一大入賞口開閉扉３９８ｂによって第一大入賞口３９８ａの上側のみが閉鎖可能とされ、前側が常時開放された状態となっているが、第一開閉装置３９８の直前にパチンコ機１の窓枠３９に装着された透明板が配置されるようになっており（図示は省略する）、開放された前側から第一大入賞口３９８ａ内へ遊技球が入らないようになっている。
【０２４０】
また、第一開閉装置３９８は、第一大入賞口開閉扉３９８ｂを閉鎖位置にした時に、窓枠３９の透明板との間で遊技球を挟持して球詰まりが発生するのを防止できるように、その開閉力が弱くしてある。
【０２４１】
一方、第一大入賞口開閉扉３９８ｂの位置が閉鎖位置から開放位置になるときには、軸本体５７０ｄに挿入されたトーションバネ５７０ｅの作用によって、開放位置にスライドするにしたがってスライドする速度が遅くなるようになっている。
【０２４２】
なお、下ケーシング５６２には、後述するが、ＬＥＤ基板５６２ｂと、スリット昇降装置５６２ｃと、表示パネル５６２ｄと、が設けられており、スリット昇降装置５６２ｃは、ベース部材５６２ｃａ、スリットシート５６２ｃｂを備えて構成されている。ＬＥＤ基板５６２ｂには複数のＬＥＤが実装され、これらのＬＥＤが発する光が表示パネル５６２ｄ、そしてスリット昇降装置５６２ｃのスリットシート５６２ｃｂを介して第一開閉装置３９８の前側に放たれるようになっている。スリット昇降装置５６２ｃのベース部材５６２ｃａは、Ｌ字形状を有しており、第一大入賞口開閉ソレノイド５６８のプランジャー５６８ａ先端と係合されている。これにより、上述した駆動伝達部材５７０は、プランジャー５６８ａの動きを前後方向の動きに変換して第一大入賞口開閉扉３９８ｂを前後方向にスライドさせるため、第一大入賞口開閉扉３９８ｂの前後方向のスライド（移動）に連動してスリット昇降装置５６２ｃが上下方向に移動することとなる。
【０２４３】
スリットシート５６２ｃｂは、下ケーシング５６２に設けたガイド溝５６２ｅにより上下方向にガイドされており、表示パネル５６２ｄは下ケーシング５６２に設けた挿入溝５６２ｆに挿入されて固定されている。
【０２４４】
また、上述したように、軸本体５７０ｄに挿入されたトーションバネ５７０ｅの作用によって、第一大入賞口開閉扉３９８ｂが閉鎖位置から開放位置にスライドするにしたがってそのスライドする速度が遅くなり、第一大入賞口開閉ソレノイド５６８のプランジャー５６８ａ先端の動きが遅くなる。これにより、スリット昇降装置５６２ｃが上から下に動く速度は、そのベース部材５６２ｃａがプランジャー５６８ａ先端と係合されているため遅くなる。
（第一大入賞口開閉扉の取り付け構造について）
【０２４５】
図４７（Ａ）は、第一大入賞口開閉扉の連結口と駆動伝達部材の第二片とを示す図４４におけるＥ−Ｅ断面図である。図４７（Ｂ）は、第一大入賞口開閉扉の連結口と駆動伝達部材の第二片とを示す図４５におけるＦ−Ｆ断面図である。図４８は、第一大入賞口開閉扉と上ケーシングとを示す図４５におけるＧ−Ｇ断面図である。
【０２４６】
第一大入賞口開閉扉３９８ｂは、前述したように平面視Ｔ字形状に形成され、該Ｔ字形状をなす支持部３９８ｂａの後端側には、駆動伝達部材５７０の第二片５７０ｃを挿入係合する連結口３９８ｂｂが形成されている。そして、駆動伝達部材５７０は、第二片５７０ｃと連結口３９８ｂｂとの係合により、開閉駆動機構５６６を構成する第一大入賞口開閉ソレノイド５６８のプランジャー５６８ａの上下方向への動きを前後方向の動きに変換して第一大入賞口開閉扉３９８ｂに伝達するようになっている。
【０２４７】
ところで、上記した第一大入賞口開閉扉３９８ｂと駆動伝達部材５７０との取り付け構造（連結構造）において、駆動伝達部材５７０の第二片５７０ｃと係合する連結口３９８ｂｂは、若干の遊びを持った状態で第二片５７０ｃを挿入するようになっている。言い換えれば、開閉駆動機構５６６の駆動力を第一大入賞口開閉扉３９８ｂに伝達する駆動伝達部材５７０の第二片５７０ｃは、第一大入賞口開閉扉３９８ｂの連結口３９８ｂｂに遊嵌した状態で係合される。
【０２４８】
具体的に、連結口３９８ｂｂは、平面視で横長方形状の穿設穴をなすように第一大入賞口開閉扉３９８ｂの後端側に形成されるものであるが、第一大入賞口開閉扉３９８ｂの進退方向（前後方向）では、前記図４４のＥ−Ｅ断面となる図４７（Ａ）に示すように、第二片５７０ｃの前端が連結口３９８ｂｂの前側壁面に当接した状態で、第二片５７０ｃの後端と連結口３９８ｂｂの後側壁面との間には隙間Ｌ１が設けられる。また、第一大入賞口開閉扉３９８ｂの進退方向（前後方向）と直交する左右方向では、前記図４５のＦ−Ｆ断面となる図４７（Ｂ）に示すように、第二片５７０ｃの左端と連結口３９８ｂｂの左側壁面との間には隙間Ｌ２が設けられ、第二片５７０ｃの右端と連結口３９８ｂｂの右側壁面との間には隙間Ｌ３が設けられる。
【０２４９】
また、平面視Ｔ字形状をなす第一大入賞口開閉扉３９８ｂの開閉扉部３９９は、上ケーシング５６４前側の左右両端に設けられる断面コ字形状をなすスライド支持部３９９ａと係合することで、その進退方向が前後方向に規制される。具体的には、第一大入賞口開閉扉３９８ｂを上ケーシング５６４に取り付けた状態で、開閉扉部３９９の左右両端に突設されるスライド突部３９９ｂがスライド支持部３９９ａ内に挿入係合されることで、第一大入賞口開閉扉３９８ｂの進退方向が規制されるようになっている。
【０２５０】
ところで、上記した第一大入賞口開閉扉３９８ｂと上ケーシング５６４との取り付け構造において、開閉扉部３９９のスライド突部３９９ｂと係合するスライド支持部３９９ａは、若干の遊びを持った状態でスライド突部３９９ｂを挿入するようになっている。言い換えれば、第一大入賞口開閉扉３９８ｂの開閉扉部３９９は、第一大入賞口開閉扉３９８ｂの進退方向を規制する上ケーシング５６４のスライド支持部３９９ａに遊嵌した状態で係合される。
【０２５１】
具体的には、前記図４５のＧ−Ｇ断面となる図４８に示すように、第一大入賞口開閉扉３９８ｂの上下方向では、開閉扉部３９９のスライド突部３９９ｂの下端がスライド支持部３９９ａの下壁面に支承された状態で、左側のスライド突部３９９ｂの上端と左側のスライド支持部３９９ａの上壁面との間には隙間Ｌ４が設けられ、右側のスライド突部３９９ｂの上端と右側のスライド支持部３９９ａの上壁面との間には隙間Ｌ５が設けられる。また、第一大入賞口開閉扉３９８ｂの左右方向では、左側のスライド突部３９９ｂの左端と左側のスライド支持部３９９ａの側壁面との間には隙間Ｌ６が設けられ、右側のスライド突部３９９ｂの右端と右側のスライド支持部３９９ａの側壁面との間には隙間Ｌ７が設けられる。
【０２５２】
以上説明したように、第一開閉装置３９８の第一大入賞口３９８ａを開閉すべく前後方向に進退可能に設けられた第一大入賞口開閉扉３９８ｂは、当該第一大入賞口開閉扉３９８ｂに開閉駆動機構５６６の駆動力を伝達する駆動伝達部材５７０との連結構造、及び当該第一大入賞口開閉扉３９８ｂを前後方向にスライド可能に取り付ける上ケーシング５６４との取り付け構造において、それぞれ若干の遊びを持たせた設計となっている。このため、第一開閉装置３９８の閉鎖状態において、遊技領域３７を流下する遊技球が第一大入賞口３９８ａを閉鎖する第一大入賞口開閉扉３９８ｂに落下するような場合でも、第一大入賞口開閉扉３９８ｂにかかる遊技球の衝撃力は、駆動伝達部材５７０の第二片５７０ｃと第一大入賞口開閉扉３９８ｂの連結口３９８ｂｂとの係合部分、及び第一大入賞口開閉扉３９８ｂの開閉扉部３９９（スライド突部３９９ｂ）と上ケーシング５６４のスライド支持部３９９ａとの係合部分で吸収されて直接的に駆動伝達部材５７０乃至第一大入賞口開閉ソレノイド５６８にかかることがない。従って、第一開閉装置３９８の閉鎖時、遊技球による第一開閉装置３９８の破損及び経時変化を回避することができ、第一大入賞口３９８ａの開閉動作に支障を来すことがない。
【０２５３】
なお、第一開閉装置３９８を開放する場合には、第一大入賞口開閉ソレノイド５６８の駆動によって第一大入賞口開閉扉３９８ｂを退行させて第一大入賞口開閉扉３９８ｂの上面開口となる第一大入賞口３９８ａを開放する。これにより、第一開閉装置３９８（第一大入賞口３９８ａ）に入賞する遊技球は、第一大入賞口３９８ａが形成された下ケーシング５６２に受け止められることになる。従って、従来のように傾動した蓋体に対して大量の遊技球が落下し、その衝撃力が蓋体を回動自在に支持する軸支持部に集中してかかるようなことがない。このため、第一開閉装置３９８の開放時でも、遊技球による第一開閉装置３９８の破損及び経時変化を回避することができ、ひいては第一大入賞口３９８ａの開閉動作に支障を来すことを回避できる。
（第一開閉装置から振分機構までの遊技球の流れについて）
【０２５４】
図４９は、第一開閉装置、役物誘導路、振分機構および演出用役物を左上方から見た斜視図である。図５０〜図５２は、役物誘導路、振分機構および演出用役物の平面図であって、遊技球が振分機構によって振り分けられる態様を示す図である。
【０２５５】
本例では、第一開閉装置３９８から受入れられた遊技球は、演出用役物４３０の上方に設けられた振分機構４３８によって、演出用役物４３０に導かれる遊技球と遊技盤５の背後に排出される遊技球とに振り分けられるようになっている。なお、本例では第一開閉装置３９８に遊技球が受入可能となる前に、演出用役物４３０内部のフィギュア４３４が遊技者から視認できる演出位置に、役物回転体４３２が回転するようになっている。
【０２５６】
まず、第一開閉装置３９８の第一大入賞口３９８ａに遊技球が受入れられると、下ケーシング５６２の排出口５６２ａから排出されると同時に第一大入賞口カウントセンサ５７２により検出されて入賞が確定し、ここから下流の遊技球は、遊技球の払い出しや、大当り遊技等の有利遊技状態（利益付与状態）の発生制御等の遊技者が有利となる遊技制御に関係しない遊技球（所謂、死球）となる。
【０２５７】
第一大入賞口カウントセンサ５７２によって検出された遊技球は、役物誘導路４３６へと供給され、演出用役物４３０の方向へ誘導される。この役物誘導路４３６は、図示するように、第一開閉装置３９８からの遊技球を、左右方向右側へ所定距離誘導させた後に、略直角に後側へ所定距離遊技球を誘導させ、そして、再度遊技球の誘導方向を曲げることで斜め後方から演出用役物４３０の上部へ向けて遊技球を誘導するようになっている。
【０２５８】
このように役物誘導路４３６には、複数の曲がり角が備えられているので、その角毎に遊技球の流通速度が減衰し、遊技球の流れる速度が速くなるのを防止することができるので、役物誘導路４３６を流通する遊技球を視認し易くすることができ、遊技球の動きを楽しませることができるようになっている。
【０２５９】
そして、役物誘導路４３６によって誘導された遊技球は、まず、振分機構４３８に到達する。この振分機構４３８では、そのソレノイド５５２のプランジャー５５２ａが、通常状態（即ち消磁状態）のときはＸ方向側（収容位置）に位置している。そして、役物誘導路４３６上を振分機構４３８に向けて転動してきた遊技球は、遊技球保持部材５５４の収容凹部５４４ａに収容保持される（図５０参照）。
【０２６０】
遊技球保持部材５５４に一球の遊技球が保持されると、その後に役物誘導路４３６上を転動してきた遊技球は、遊技球保持部材５５４の収容凹部５３６ｂによって収容保持できないので、上部球誘導路５３６ａを通って遊技盤５の後方側（図中のＹ方向側）に排出される（図５１参照）。
【０２６１】
ところで、上部球誘導路５３６ａには、役物誘導路４３６によって斜め後方から前方に向けて遊技球が供給されるため、遊技球の慣性力が上部球誘導路５３６ａの前方側、つまり、遊技球保持部材５５４の収容凹部５４４ａ側に向いており、遊技球が収容凹部５５４ａに収容され易いようになっている。
【０２６２】
この収容凹部５４４ａに遊技球が収容された状態でソレノイド５５２が励磁されると、プランジャー５５２ａがＹ方向に移動する。このとき、連結部材５５６がピン５５８を支点として反時計回り（図中のα方向）に回転する。遊技球保持部材５５４は、連結部材５５６の反時計回りへの回転に伴って反時計回りに回転する。演出用役物４３０の役物回転体４３２の上面には、遊技球が落下できる落下口５３６ｂが形成されている。ソレノイド５５２が励磁して遊技球保持部材５５４が連結部材５５６を支点として反時計周りに回転すると、遊技球保持部材５５４の収容凹部５４４ａに収容保持されている遊技球は、落下口５３６ｂから役物回転体４３２内に落下する（図５２参照）。
【０２６３】
この落下口５３６ｂに落下した遊技球は、役物回転体４３２の球流通空間４６０ａ内へと進入することとなるが、この際に役物回転体４３２がフィギュア４３４を視認できる演出位置に回転させられていて、落下口５３６ｂと役物回転体４３２の長孔４６２ｂとが一致しているので、落下口５３６ｂから役物回転体４３２内へ進入できるようになっている。なお、役物回転体本体４６０における天板部４６２の長孔４６２ｂと、球放出部材４６８の被覆部４６８ｂとにより、落下口５３６ｂからの遊技球を一旦後側に送ってから第一演出樋４７０へ供給するようになっている（図４０参照）。
【０２６４】
なお、ソレノイド５５２が消磁状態であれば、遊技球保持部材５５４によって保持された遊技球が落下口５３６ｂとずれた位置で保持されるので、遊技球保持部材５５４によって保持された遊技球が役物回転体４３２内に落下することはない。
［主基板および周辺基板の制御的な構成について］
【０２６５】
図５３および図５４に基づき説明する。図５３は、制御構成を概略的に示すブロック図であって、主基板周辺の構成を主として示した図である。図５４は、制御構成を概略的に示すブロック図であって、周辺基板周辺の構成を主として示した図である。なお、これらの図面において太線の矢印は電源の接続および方向を示し、細線の矢印は信号の接続および方向を示している。
【０２６６】
本実施形態のパチンコ機１の制御は、大きく分けて主基板６００のグループ（図５３に示す）と、周辺基板６００のグループ（図５４に示す）とで分担されている。主基板６００のグループは遊技動作（入賞検出や当たり判定、特別図柄表示、賞球払出等）を制御しており、周辺基板６００のグループは演出動作（発行装飾や音響出力、液晶表示および装飾体の動作等）を制御している。
【０２６７】
図５３に示すように、主基板６００は、主制御基板１３１と払出制御基板１９７とから構成されている。主制御基板１３１は、中央演算装置としてのＣＰＵ６０２（当落判定手段、利益付与状態制御手段）、読み出し専用メモリとしてのＲＯＭ６０４および読み書き可能メモリとしてのＲＡＭ６０６を備えている。
【０２６８】
ＣＰＵ６０２は、ＲＯＭ６０４に格納されている制御プログラムを実行することによりパチンコ機１で行われる各種遊技を制御したり、周辺基板６００や払出制御基板１９７に出力するコマンド信号を作成したりする。
【０２６９】
ＲＯＭ６０４には、主制御基板１３１で実行される種々の処理において生成される各種データや入力信号等の情報が一時的に記憶される。
【０２７０】
なお、主基板６００は、電源中継端子板１９９を介して電源基板１９５に接続されており、電源基板１９５から作動用電力が供給されるようになっている。
【０２７１】
この主制御基板１３１の入力インタフェースには、第一始動口３９０への入賞状態を検出する第一始動口センサ６４４（始動検出手段）、第二始動口３９２への入賞状態を検出する第二始動口センサ６４６（始動検出手段）、第三始動口３９４への入賞状態を検出する第三始動口センサ６４８（始動検出手段）および全ての入賞口に対する入賞数をカウントするための全入賞口入賞数検出センサ６５０が接続されている。
【０２７２】
また、主制御基板１３１の入力インタフェースには、パネル中継端子板６２４を介して、通過ゲート４０２を遊技球が通過したことを検出するゲートセンサ６３０および一般入賞口４０４に遊技球が入賞したことを検出する一般入賞口センサ６３２が接続されている。
【０２７３】
さらに、主制御基板１３１の入力インタフェースには、パネル中継端子板６２４に接続された第一大入賞口中継端子板６２６を介して第一大入賞口カウントセンサ５７２が接続され、パネル中継端子板６２４に接続された第二大入賞口中継端子板６２８を介して第二大入賞口カウントセンサ６４０が接続されている。
【０２７４】
上記各センサからの検出信号は主制御基板１３１に入力されるようになっている。また、主制御基板１３１の入力インタフェースには、前枠体１１の開放状態を検出する内枠開放スイッチ６２０および前面枠４の開放状態を検出する扉開放スイッチ６２２も接続されている。
【０２７５】
一方、パネル中継端子板６２４の出力インタフェースには、図柄制限抵抗基板６３４を介して、普通図柄・特別図柄表示基板６３６が接続されており、主制御基板１３１から、普通図柄表示器８２、第一特別図柄表示器８４および第二特別図柄表示器８６へ駆動信号を出力することが可能になっている。
【０２７６】
また、第一大入賞口中継端子板６２６の出力インタフェースには、第一開閉装置３９８の第一大入賞口開閉扉３９８ｂを駆動する第一大入賞口開閉ソレノイド５６８が接続されており、主制御基板１３１から、これらの駆動信号が出力されるようになっている。
【０２７７】
さらに、第二大入賞口中継端子板６２８の出力インタフェースには、第三始動口３９４の一対の可動片３９６を駆動する普通電動役物ソレノイド６３８および第二開閉装置４００の第二大入賞口開閉扉４００ｂを駆動する第二大入賞口開閉ソレノイド６４２が接続されており、主制御基板１３１から、これらの駆動信号が出力されるようになっている。
【０２７８】
一方、払出制御基板１９７は、中央演算装置としてのＣＰＵ６０８、読み出し専用メモリとしてのＲＯＭ６１０および読み書き可能メモリとしてのＲＡＭ６１２を備えている。
【０２７９】
そして、払出制御基板１９７は、主制御基板１３１から入力したコマンド信号を処理し、球払出装置１７０や、発射制御基板６１６に接続された発射モータ１９２に対して、駆動信号を出力する。これにより、球払出装置１７０（球払出手段）は、駆動信号に従って遊技球を払い出し、発射モータ１９２は駆動信号に従って遊技球を発射させることが可能になる。
【０２８０】
なお、主制御基板１３１と払出制御基板１９７との間では、それぞれの入出力インタフェースを介して双方向通信が実施されており、たとえば主制御基板１３１が賞球コマンドを送信すると、これに応えて払出制御基板１９７から主制御基板１３１にＡＣＫ信号が返される。
【０２８１】
また、払出制御基板１９７には、下皿３１に貯えられる遊技球が満タンになったことを検出する下皿満タンスイッチ６１４も接続されており、この検出に基づいて、「遊技球を下皿３１から取り出して下さい」旨の報知がなされる。
【０２８２】
また、主制御基板１３１および払出制御基板１９７には、外部端子板６１８が接続されており、各始動口３９０，３９２，３９４や各開閉装置３９８，４００への入賞状態、普通図柄・特別図柄の変動状態および抽選結果に基づく遊技状態等の各種情報が、遊技施設に設けられたホールコンピュータ等へ出力されるようになっている。
【０２８３】
一方、周辺基板６００は、図５４に示すように、周辺制御基板６６２と表示装置制御基板１１６とから構成されている。なお、上記の主制御基板１３１と周辺制御基板６６２との間では、それぞれの入出力インタフェースと入力インタフェースとの間で一方向だけの通信が行われており、主制御基板１３１から周辺制御基板６６２へのコマンド送信はあっても、その逆は行われない。また、周辺基板６００に対しても電源中継端子板１９９を介して電源基板１９５から作動用電力が供給されるようになっている。
【０２８４】
周辺制御基板６６２もまた、ＣＰＵ６６４をはじめＲＯＭ６６６やＲＡＭ６６８等の電子部品を有しており、これら電子部品によって所定の演出制御プログラムを実行することが可能となっている。
【０２８５】
また、周辺制御基板６６２には、音声や音楽の基となる音源を記憶したＲＯＭ６７２と、ＲＯＭ６７２に記憶された音源を基に、演出内容等に応じた音声や音楽を出力する音源ＩＣ６７０とが設けられている。
【０２８６】
なお、周辺制御基板６６２と表示装置制御基板１１６との間では、それぞれの入出力インタフェースとの間で双方向に通信が行われる。
【０２８７】
一方、表示装置制御基板１１６には、演出表示装置１１５としての液晶表示器（ＬＣＤ）が接続されており、表示装置制御基板１１６には、周辺制御基板６６２から送信されたコマンド信号を処理し、演出表示装置１１５に対して駆動信号を出力する。詳しく説明すると、表示装置制御基板１１６には、ＣＰＵ６７８、ＲＡＭ６８０、ＲＯＭ６８２、ＶＤＰ６８４および画像ＲＯＭ６８６が備えられている。
【０２８８】
ＣＰＵ６７８は、周辺制御基板６６２から送られてきたコマンド信号を入出力インタフェースを介して受信するとともに、そのコマンドを基に演算処理を行って、ＶＤＰ６８４の制御を行う。ＲＡＭ６８０は、ＣＰＵ６７８の作業領域を提供すると共に、表示コマンドに含まれる情報を一時的に記憶する。また、ＲＯＭ６８２は、ＣＰＵ６７８用（表示制御用）のプログラムを保持する。
【０２８９】
ＶＤＰ（ビデオディスプレイプロセッサ）６３８は、演出表示装置１１５に組み込まれたＬＣＤドライバ（液晶駆動回路）を直接操作する描画回路である。ＶＤＰ６８４の内部には、レジスタが設けられており、ＶＤＰ６８４の動作モードや各種表示機能の設定情報等を保持しておくことが可能となっている。そして、このレジスタに保持される各種情報をＣＰＵ６７８が書き換えることにより、演出表示装置１１５における表示態様を種々変化させることが可能となる。画像ＲＯＭ６８６は、各種の画像データを記憶する不揮発性メモリであり、各種の表示図柄のビットマップ形式画像データおよび背景画像用のＪＰＥＧ形式画像データ等が記憶されている。
【０２９０】
また、周辺制御基板６６２には、ランプ駆動基板６８８および枠装飾中継端子板６７４が接続されている。さらに、ランプ駆動基板６８８には、中継端子板として、センター装飾駆動部中継端子板６９４が接続されている。さらに、センター装飾駆動部中継端子板６９４には、回転体下基板５１８が接続されている。
【０２９１】
回転体下基板５１８の入力インタフェースには、演出に用いられた遊技球（即ち、第一演出樋４７０を転動した遊技球）が、第一の演出口４７６および第二の演出口４８０のいずれに受入れられたかを検出するための球振分部モータセンサ５００が接続されている。また、回転体下基板５１８の出力インタフェースには、支持軸４７４を時計回りと反時計回りとに繰り返し回転させる球振分部モータ４８４および電飾としてＬＥＤが配列された回転部ＬＥＤ基板６９６が接続されている。なお、回転部ＬＥＤ基板６９６とは、回転体上基板５１４及び光源基板５１２のことである。
【０２９２】
また、ランプ駆動基板６８８の出力インタフェースには、パネル装飾ランプ６９０、センター装飾ランプ３０４、演出用役物４３０を回転させるための回転部モータ５２６および演出用役物４３０の回転位置を検出する回転部モータセンサ５３２が接続されている。これにより、ランプ駆動基板６８８は、これらの各ランプの点灯状態を切り替えることが可能であると共に、演出用役物４３０の回転動作および回転位置を検出可能となっている。さらに、ランプ駆動基板６８８の入力インタフェースには、遊技盤５の後方側に排出された遊技球を検出する排出口センサ６９２が接続されている。なお、排出口センサ６９２は、球排出流路センサ５４４、第一演出球排出流路センサ５４８及び第二演出球排出流路センサ５５０により構成されている。
【０２９３】
また、周辺制御基板６６２に接続された枠装飾中継端子板６７４には、前面枠４に接続されたスピーカ１８，５７、ボタン６０および枠装飾ランプ６７６等が接続されており、周辺制御基板６６２には、ボタン６０の操作状態に基づいて演出表示装置１１５に出力される演出態様を切り替えると共に、スピーカ１８，５７や枠装飾ランプ６７６に対して駆動信号を出力する。
［主基板および周辺基板の機能的な構成について］
【０２９４】
図５５に基づき説明する。図５５は、主基板による抽選および周辺基板による特別演出に拘わる機能的な構成を概略的に示す機能ブロック図である。
【０２９５】
図５５に示すように、主制御基板１３１は、第一特別図柄抽選手段７００と、第二特別図柄抽選手段７１０と、普通図柄抽選手段７２０と、特別遊技状態発生手段７３０と、小当たり遊技実行手段７３２と、第三始動口開閉実行手段７２８と、第一大入賞口開閉実行手段７３４と、第二大入賞口開閉実行手段７３６と、コマンド送信手段７４０とを備えている。
【０２９６】
第一特別図柄抽選手段７００は、遊技球が第一始動口３９０に入賞して第一始動口センサ６４４により検出されると、第一特別図柄当たり判定用乱数抽出手段７０２により乱数を抽出する。そして、この抽出した乱数値と主基板６００のＲＯＭ６０４に記憶された第一特別図柄当たり判定用テーブル７０６とに基づいて、第一当否決定手段７０４によって抽選結果を判定する。
【０２９７】
第一特別図柄抽選手段７１０は、遊技球が第二始動口３９２または第三始動口３９４に入賞して第二始動口センサ６４６または第三始動口センサ６４８により検出されると、第二特別図柄当たり判定用乱数抽出手段７１２により乱数を抽出する。そして、この抽出した乱数値と主基板６００のＲＯＭ６０４に記憶された第二特別図柄当たり判定用テーブル７１６とに基づいて、第二当否決定手段７１４によって抽選結果を判定する。
【０２９８】
普通図柄抽選手段７２０は、遊技球が通過ゲート４０２を通過してゲートセンサ６３０により検出されると、普通図柄当たり判定用乱数抽出手段７２２により乱数を抽出する。そして、この抽出した乱数値と主基板６００のＲＯＭ６０４に記憶された普通図柄当たり判定用テーブル７２６とに基づいて、普通図柄当否決定手段７２４によって抽選結果を判定する。
【０２９９】
第一特別図柄抽選手段７００および第二特別図柄抽選手段７１０による抽選結果には、いずれも、１５Ｒ大当たり、２Ｒ大当たり、小当たりおよびハズレが含まれている。また、普通図柄抽選手段７２０による抽選結果には、当たりおよびハズレが含まれている。
【０３００】
特別遊技状態発生手段７３０は、第一当否決定手段７０４または第二当否決定手段７１４によって判定された抽選結果が１５Ｒ大当たりまたは２Ｒ大当たりであるときに、特別遊技状態を発生させる（以下、「１５Ｒ大当たりおよび２Ｒ大当たり」を「特別当たり」と称する）。
【０３０１】
具体的には、第一当否決定手段７０４または第二当否決定手段７１４により判定された抽選結果が１５Ｒ大当たりであれば、２ラウンドまでを、第一大入賞口開閉実行手段７３４によって第一大入賞口開閉ソレノイド５６８を作動させて、第一開閉装置３９８の第一大入賞口開閉扉３９８ｂを開閉させる。そして、３ラウンドから１５ラウンドまでを、第二大入賞口開閉実行手段７３６によって第二大入賞口開閉ソレノイド６４２を作動させて、第二開閉装置４００の第二大入賞口開閉扉４００２を開閉させる。一方、第一当否決定手段７０４および第二当否決定手段７１４により判定された抽選結果が２Ｒ大当たりであれば、第一大入賞口開閉実行手段７３４によって第一大入賞口開閉ソレノイド５６８を作動させて、第一開閉装置３９８の第一大入賞口開閉扉３９８ｂを開閉させる動作を、２ラウンドのみ行う。
【０３０２】
第一大入賞口３９８ａまたは第二大入賞口４００ａに遊技球が入賞すると、球払出装置１７０によって賞球として遊技球が払い出されると共に、第一大入賞口カウントセンサ５７２または第二大入賞口カウントセンサ６４０によって入賞球数がカウントされる。
【０３０３】
小当たり遊技実行手段７３２は、第一当否決定手段７０４または第二当否決定手段７１４により判定された抽選結果が小当たりであれば、第二大入賞口開閉実行手段７３６によって第二大入賞口開閉ソレノイド６４２を作動させて、第二開閉装置４００の第二大入賞口開閉扉４００ｂを開閉させる動作を、２回行う。
【０３０４】
ここで、「ラウンド」とは、第一当否決定手段７０４および第二当否決定手段７１４により判定された抽選結果が特別当たりであることに基づいて特別遊技状態が発生したときに、第一大入賞口開閉扉３９８ｂによる第一大入賞口３９８ａの開閉動作または第二大入賞口開閉扉４００ｂによる第二大入賞口４００ａの所定時間に亘る開閉動作の回数を表す単位である。従って、第一当否決定手段７０４および第二当否決定手段７１４により判定された抽選結果が小当たり（通常遊技状態における一態様）の場合には、「ラウンド」とは言わない。
【０３０５】
なお、本実施形態では、第一当否決定手段７０４および第二当否決定手段７１４により判定された抽選結果が２Ｒ大当たりの場合と小当たりの場合とで、第一開閉装置３９８の開閉動作態様が同じである。ただし、２Ｒ大当たりの場合は特別遊技状態が終了したのちの遊技状態が、特別当たりへの当選確率が高くなる所謂「確変遊技状態」となるが、小当たりの場合は、特別遊技状態、確変遊技状態および所謂「時短遊技状態」のうちいずれの遊技状態でもない通常遊技状態のままである。従って、第一大入賞口開閉扉３９８ｂの開閉動作が２ラウンドまたは２回行われたとき、遊技者は、２Ｒ大当たりであるのか小当たりであるのかを判別することが困難であるものの、その後、第一特別図柄抽選手段７００および第二特別図柄抽選手段７１０によって特別当たりに当選する確率が異なることとなる。これにより、遊技者は、遊技状態が確変遊技状態であるのか通常遊技状態であるのか判別できず、興趣が高められる。
【０３０６】
第三始動口開閉実行手段７２８は、普通図柄当否決定手段７２４によって判定された抽選結果が当たりであるときに、普通電動役物ソレノイド６３８を作動させて一対の可動片３９６を開閉動作させる。一対の可動片３９６が開閉動作すると、第三始動口３９４に遊技球が入賞し易くなる。なお、一対の可動片３９６が閉状態であるときは、第三始動口３９４への遊技球の入賞が不可能であるか、または、第三始動口３９４への遊技球の入賞が第一始動口３９０および第二始動口３９２への遊技球への入賞よりも困難であるものの、一対の可動片３９６が開状態であるときは、第三始動口３９４への遊技球の入賞は、第一始動口３９０および第二始動口３９２への遊技球の入賞よりも容易となる。なお、本実施形態においては、第二始動口３９２への遊技球の入賞は、第一始動口３９０への遊技球の入賞よりも困難に構成されている。
【０３０７】
コマンド送信手段７４０は、第一当否決定手段７０４または第二当否決定手段７１４による抽選結果およびこの抽選結果に拘わる情報を周辺基板６６０に送信する。「抽選結果に拘わる情報」とは、演出表示装置１１５において行われる演出時間等が相当する。
【０３０８】
周辺基板６６０は、コマンド受信手段７５０と、演出抽選手段７６０と、演出役物動作実行手段７６２とを備えている。
【０３０９】
コマンド受信手段７５０は、主制御基板１３１から送信された第一当否決定手段７０４または第二当否決定手段７１４による抽選結果およびこの抽選結果に拘わる情報を受信する。
【０３１０】
演出抽選手段７６０は、演出用役物４３０による演出を行うか否かを抽選により決定する。演出抽選手段７６０による抽選の結果、演出用役物４３０による演出を行うと決定されると、演出抽選手段７６０は、ランプ駆動基板６８８およびセンター装飾駆動部中継端子板６９４を介して球振分部モータ４８４を作動させて、演出用役物４３０による演出を実行する。ただし、演出用役物４３０による演出は、第一開閉装置３９８（第一大入賞口３９８１）に入賞した遊技球を用いて行うため、第一開閉装置３９８に遊技球が入賞しなかった場合には、かかる演出は行われない。
［演出用役物の動作及び演出について］
【０３１１】
図５６（ａ）は、演出用役物の役物回転体の内部構成を示す正面図であって、第一演出樋が第一の演出口に向けて下方に傾斜していることを示す図である。図５６（ｂ）は、演出用役物の役物回転体の内部構成を示す正面図であって、第一演出樋が第二演出樋誘導口に向けて下方に傾斜していることを示す図である。図５７は、演出用役物と関連した演出画像の一例を示す説明図である。
【０３１２】
先ず、ランプ駆動基板６８８では、パチンコ機１の電源投入時や、リセット時において、演出用役物４３０の回転位置を検出する回転部モータセンサ５３２の検出信号の受信の有無を確認する。回転部モータセンサ５３２からの検出信号がなければ、演出用役物４３０の役物回転体４３２の内部を視認することができない位置（装飾位置）に、演出用役物４３０を回転駆動させる。これにより、図１０に示すように、演出用役物４３０の正面には「歌姫伝説」が表れる。
【０３１３】
その後、遊技状態の変化に伴って、周辺制御基板６６２からランプ駆動基板６８８へ、演出用役物４３０を回転駆動制御する旨の制御コマンドが送信されると、ランプ駆動基板６８８では、図２４に示すように演出用役物４３０の役物回転体４３２の内部のフィギュア４３４を視認することができるように、回転部モータ５２６を駆動させ、演出用役物４３０を演出位置に回転駆動させる。これにより、遊技者は、演出用役物４３０の役物回転体４３２の内部に配置されたフィギュア４３４を視認することができる。また、第一開閉装置３９８から受入れられた遊技球が第一演出樋４７０に導かれた場合には、この遊技球を用いた演出を視認することができる。
【０３１４】
ところで、本例の演出用役物４３０における、役物回転体４３２のフィギュア４３４側つまり球流通空間４６０ａ側と、装飾空間４６０ｂとの回転移動は、装飾空間４６０ｂ側から球流通空間４６０ａ側へ視認可能となるように回転する方向が、平面視で反時計回りに回転するようになっている。これにより、演出表示装置１１５の右側に配置された演出用役物４３０が反時計回りに回転することで、遊技者からは、球流通空間４６０ａが左側から順次広がるように見え、演出表示装置１１５の表示領域が右側に広がるように見せることができるようになっている。
【０３１５】
なお、遊技球を用いた演出は、フィギュア４３４により演出駆動制御する旨の制御コマンドが周辺制御基板６６２からランプ駆動基板６８８へ送信されると、ランプ駆動基板６８８は、支持軸４７４を、β方向とγ方向とに繰り返し往復回転させる。
【０３１６】
支持軸４７４がα方向とβ方向とに繰り返し往復回転されると、フィギュア４３４の片手４３４ａは、支持軸４７４の回転に伴って、フィギュア４３４に対して支持軸４７４を回転中心として回転する。即ち、支持軸４７４が時計回り（図中のβ方向）に回転すると、これに伴って片手４３４ａおよび第一演出樋４７０が、支持軸４７４を回転中心として、フィギュア４３４に対してβ方向に回転する。また、支持軸４７４が反時計回り（図中のγ方向）に回転すると、これに伴って片手４３４ａおよび第一演出樋４７０が、支持軸４７４を回転中心として、フィギュア４３４に対してγ方向に回転する。これにより、図５６（ａ）に示されるように第一演出樋４７０が第一の演出口４７６に向けて下方に傾斜した態様と、図５６（ｂ）に示されるように第一演出樋４７０が第二演出樋誘導口４７８に向けて下方に傾斜した態様とが繰り返される。
【０３１７】
なお、第一大入賞口３９８ａに入賞した遊技球が第一演出樋４７０上に存在していれば、支持軸４７４が時計回りおよび反時計回りに繰り返し往復回転することによって、かかる遊技球は、第一演出樋４７０上を左右方向に転動する。換言すれば、第一演出樋４７０の遊技球が第一の演出口４７６または第二演出樋誘導口４７８に導かれる前に、支持軸４７４がそれまでの回転方向とは異なる反対方向に回転することによって、遊技球が第一演出樋４７０上を左右方向に転動することとなる。そして、支持軸４７４がγ方向について回転限界まで回転して一定時間保持されると（図５６（ａ）の態様で一定時間保持されると）、遊技球は第一の演出口４７６に導かれる。一方、支持軸４７４が時計回りの方向について回転限界まで回転して一定時間保持されると（図５６（ｂ）の態様で一定時間保持されると）、遊技球は第二演出樋誘導口４７８に導かれる。
【０３１８】
第一演出樋４７０上を転動する遊技球が第一の演出口４７６に受入れられると、かかる遊技球は遊技盤５の背後に排出される。一方、第一演出樋４７０上を転動する遊技球が第二演出樋誘導口４７８に受入れられると、かかる遊技球は、第二演出樋４７２の右端４７２ａ上に落下し、右端４７２ａから左端４７２ｂに向けて転動する。そして、右端４７２ａから左端４７２ｂに向けて転動した遊技球は、第二の演出口４８０に受入れられる。
【０３１９】
なお、遊技球を用いた演出用役物４３０による演出（即ち、遊技球が第一の演出口４７６に受入れられるかまたは第二の演出口４８０に受入れられるかといった演出）は、コマンド送信手段７４０から受信した第一当否決定手段７０４または第二当否決定手段７１４による抽選結果に基づいて行われる。
【０３２０】
具体的には、演出用役物４３０による演出を行うとき、第一の演出口４７６および第二演出口４８０のうちいずれの演出口を当たりの演出口（またはハズレの演出口）とするのかを決定する。より具体的には、演出用役物４３０における第一の演出口４７６及び第二の演出口４８０は、夫々演出表示装置１１５と接する側に配置されており、図５７に示すように、演出表示装置１１５において、第一の演出口４７６及び第二の演出口４８０の直ぐ隣（図中左側）に、例えば、「ハズレ」及び「当たり」の画像を表示させることで、いずれの演出口が当たりの演出口であるかを遊技者に認識できるようにしている。
【０３２１】
そして、第一当否決定手段７０４または第二当否決定手段７１４による抽選結果の判定が２Ｒ大当たりまたは小当たりである場合には、第一演出樋４７０上を転動する遊技球が当たりの演出口と決定された側の演出口に導かれるように演出を行う。一方、第一当否決定手段７０４または第二当否決定手段７１４による抽選結果の判定がハズレである場合には、第一演出樋４７０上を転動する遊技球がハズレの演出口と決定された側の演出口に導かれるように演出を行う。このようにして、演出用役物４３０による演出毎に、当たりの演出口とハズレの演出口とを切り替える。これにより、単調な遊技を回避でき、演出用役物４３０による演出が行われる際に遊技者は、いずれの演出口が当たりであるのかに注意を惹かれ、興趣が高められるようになっている。
【０３２２】
なお、「当たりの演出口」とは、抽選手段による抽選結果が遊技者に有利な結果である可能性があることを示す演出口のことであり、「ハズレの演出口」とは、抽選手段による抽選結果が遊技者に有利な結果よりも不利な結果であることを示す演出口のことである。ここで、「抽選手段による抽選結果が遊技者に有利な結果である可能性がある」とは、第一特別図柄抽選手段７００または第二特別図柄抽選手段７１０による抽選結果が「２Ｒ大当たりおよび小当たり」を意味する。即ち、「可能性」とは、この抽選結果が２Ｒ大当たりであれば確変遊技状態が発生することから遊技者に有利な結果と言うことができ、小当たりであれば通常遊技状態が継続するので遊技者に有利な結果とは言えないことに基づくものである。
【０３２３】
一方、演出表示装置１１５では、第一当否決定手段７０４または第二当否決定手段７１４による抽選結果の判定が２Ｒ大当たりまたは小当たりである場合に、特別演出が行われる。これにより、遊技者は、演出表示装置１１５において特別演出が行われると特別遊技状態が発生する期待感が高まり、興趣が高められるようになっている。
【０３２４】
このように、第一当否決定手段７０４または第二当否決定手段７１４による抽選結果の判定に応じて、第一演出樋４７０上を転動する遊技球が第一の演出口４７６または第二の演出口４８０に導かれるように演出を行う。そして、演出表示装置１１５において特別演出が行われる場合には、第一演出樋４７０上を転動する遊技球を、当たりの演出口に誘導し、演出表示装置１１５において特別演出が行われない場合には、ハズレの演出口に誘導する。従って、演出用役物４３０による演出が行われているとき、遊技者は、当たりの演出口に遊技球が受入れられることに期待感を持って遊技を行うことになる。
【０３２５】
しかも、本実施形態では、第一当否決定手段７０４または第二当否決定手段７１４による抽選結果の判定がたとえ２Ｒ大当たりまたは小当たりであったとしても、第一開閉装置３９８に遊技球が受入れられなかった場合には、遊技球を用いた演出が行われない。
【０３２６】
以上のように、本実施形態の構成によれば、第一開閉装置３９８は、遊技領域３７を流下する遊技球の受け入れを可能にする上面開口が第一大入賞口３９８ａとして形成された球受入部材（下ケーシング５６２）と、第一大入賞口３９８ａを上方で被覆する閉鎖状態と第一大入賞口３９８ａの上方被覆を解除する開放状態との間で前後方向（遊技盤の盤面に対してほぼ直交する方向）に進退可能に設けられる第一大入賞口開閉扉３９８ｂと、該第一大入賞口開閉扉３９８ｂの進退移動の電気的駆動源となる開閉駆動源（第一大入賞口開閉ソレノイド５６８）と、第一大入賞口開閉扉３９８ｂと係合される第二片５７０ｃを有して開閉駆動源の駆動力を第一大入賞口開閉扉３９８ｂに伝達する駆動伝達部材５７０と、を備え、第一大入賞口開閉扉３９８ｂは、第二片５７０ｃを挿入係合することで駆動伝達部材５７０から伝達される開閉駆動源の駆動力を第一大入賞口３９８ａの開閉動作となる進退動作に変換する連結口３９８ｂｂを有し、駆動伝達部材５７０の第二片５７０ｃは、第一大入賞口開閉扉３９８ｂの連結口３９８ｂｂに遊嵌した状態で係合される。この場合、所定条件の成立に基づいて第一開閉装置３９８を開放する場合、開閉駆動源の駆動によって第一大入賞口開閉扉３９８ｂを退行させて球受入部材の上面開口となる第一大入賞口３９８ａを開放する。これにより、第一開閉装置３９８（第一大入賞口３９８ａ）に入賞する遊技球は、第一大入賞口３９８ａが形成された球受入部材に受け止められることになる。従って、従来のように傾動した蓋体に対して大量の遊技球が落下し、その衝撃力が蓋体を回動自在に支持する軸支持部３９８ｂａに集中してかかるようなことがない。このため、遊技球による第一開閉装置３９８の破損及び経時変化を回避することができ、ひいては第一大入賞口３９８ａの開閉動作に支障を来すことを回避できる。
【０３２７】
また、この構成によれば、開閉駆動源の駆動力を第一大入賞口開閉扉３９８ｂに伝達する駆動伝達部材５７０は、第一大入賞口開閉扉３９８ｂとの連結部位となる第二片５７０ｃが第一大入賞口開閉扉３９８ｂ側の連結口３９８ｂｂに対して遊嵌した状態で係合される。このため、第一開閉装置３９８の閉鎖状態において、遊技領域３７を流下する遊技球が第一大入賞口３９８ａを閉鎖する第一大入賞口開閉扉３９８ｂに落下するような場合でも、第一大入賞口開閉扉３９８ｂにかかる遊技球の衝撃力は、第二片５７０ｃと連結口３９８ｂｂとの遊嵌係合部分で吸収されて直接的に駆動伝達部材５７０乃至開閉駆動源にかかることがない。従って、第一開閉装置３９８の閉鎖時でも、遊技球による第一開閉装置３９８の破損及び経時変化を回避することができ、第一大入賞口３９８ａの開閉動作に支障を来すことがない。
【０３２８】
また、開閉駆動源は、上下方向に進退可能とされたプランジャー５６８ａを有した第一大入賞口開閉ソレノイド５６８から構成され、駆動伝達部材５７０は、第一大入賞口開閉ソレノイド５６８により上下方向に駆動されるプランジャー５６８ａの動きを前後方向の動きに変換して第一大入賞口開閉扉３９８ｂを前後方向にスライドさせる。この場合、第一大入賞口開閉ソレノイド５６８のプランジャー５６８ａの進退移動を第一大入賞口開閉扉３９８ｂの進退移動に変換して第一大入賞口３９８ａを開閉する構成にできる。このため、迅速に且つ確実に第一大入賞口３９８ａを開閉することができる。
【０３２９】
また、プランジャー５６８ａは、第一大入賞口開閉ソレノイド５６８の下側から進退するように配置されている。この場合、第一大入賞口３９８ａの閉鎖時には、第一大入賞口開閉ソレノイド５６８の励磁を停止することでプランジャー５６８ａを進出状態に維持して第一大入賞口開閉扉３９８ｂを進出させて第一大入賞口３９８ａを閉鎖する。一方、第一大入賞口３９８ａの開放時には、第一大入賞口開閉ソレノイド５６８を励磁してプランジャー５６８ａを退行させることで第一大入賞口開閉扉３９８ｂを退行させて第一大入賞口３９８ａを開放する。これにより、所定条件の成立がなく第一大入賞口３９８ａを開放しない通常の遊技状態では、第一大入賞口開閉ソレノイド５６８の励磁を停止した状態にできるので、経済的に第一開閉装置３９８（第一大入賞口開閉扉３９８ｂ）の開閉動作を行うことができる。
【０３３０】
また、駆動伝達部材５７０の第二片５７０ｃは、前後方向に進退可能に設けられた第一大入賞口開閉扉３９８ｂの連結口３９８ｂｂに対して上下方向に挿入係合される。これにより、前後方向に進退移動する第一大入賞口開閉扉３９８ｂに対して駆動伝達部材５７０の第二片５７０ｃが上下方向に挿入係合されることで、第一大入賞口３９８ａの閉鎖時に遊技球が第一大入賞口開閉扉３９８ｂに落下するような場合でも、第一大入賞口開閉扉３９８ｂにかかる遊技球の衝撃力が直接的に駆動伝達部材５７０かかることを回避することができ、遊技球による第一開閉装置３９８の破損及び経時変化を回避することができる。
【０３３１】
また、球受入部材は、第一開閉装置３９８をユニット化するための下ケーシング５６２から構成され、第一開閉装置３９８は、下ケーシング５６２の上側に組み付けられて第一大入賞口開閉扉３９８ｂを前後方向にスライド可能に保持する上ケーシング５６４を備え、開閉駆動源及び駆動伝達部材５７０は、それぞれ下ケーシング５６２と上ケーシング５６４との間に形成される収容空間内に収容して取り付けられる。この場合、上ケーシング５６４と下ケーシング５６２との間に形成される収容空間内に第一開閉装置３９８の各種構成部材を収容してユニット化することができるので、第一開閉装置３９８の着脱作業が容易にできる。
【０３３２】
また、下ケーシング５６２には、第一大入賞口３９８ａ内に入賞した遊技球を第一開閉装置３９８の外部に排出するための排出口５６２ａが形成され、該排出口５６２ａには、入賞検出手段としての第一大入賞口カウントセンサ５７２が設けられている。この場合、下ケーシング５６２の排出口５６２ａから排出される遊技球を第一大入賞口カウントセンサ５７２で検出することで、第一大入賞口３９８ａに入賞した遊技球を検出することができる。また、この構成によれば、第一大入賞口カウントセンサ５７２を下ケーシング５６２に設けることで、第一大入賞口カウントセンサ５７２を第一開閉装置３９８の構成部材としてユニット化することができる。
【０３３３】
また、第一大入賞口開閉扉３９８ｂは、第一大入賞口３９８ａを開閉する開閉扉部３９９とその後方に延びる支持部３９８ｂａとを有し、全体として平面視Ｔ字形状をなし、連結口３９８ｂｂが支持部３９８ｂａの後端側に形成されている。この場合、第一大入賞口開閉扉３９８ｂを平面視Ｔ字形状に形成することで、駆動伝達部材５７０との連結部分（支持部３９８ｂａ）を極力小さくして、第一大入賞口３９８ａの開口面積（開閉扉部３９９の面積）を大きくとることができ、ひいては第一大入賞口開閉扉３９８ｂを効率の良い形状とすることで第一開閉装置３９８の設計自由度を高めることができる。
【０３３４】
また、開閉扉部３９９の左右両端には、それぞれスライド突部３９９ｂが突設され、上ケーシング５６４の前側の左右両端には、スライド突部３９９ｂを挿入係合して第一大入賞口開閉扉３９８ｂの進退方向を規制する断面コ字形状のスライド支持部３９９ａが設けられている。この場合、第一大入賞口開閉扉３９８ｂ（開閉扉部３９９）のスライド突部３９９ｂを上ケーシング５６４のスライド支持部３９９ａに係合することで第一大入賞口開閉扉３９８ｂの進退方向を規制することができ、ひいては第一大入賞口開閉扉３９８ｂのスムーズな進退移動、言い換えれば第一大入賞口３９８ａのスムーズな開閉を行うことができる。
【０３３５】
また、第一大入賞口３９８ａの前側には、前面開口が形成され、前面開口の直前には、当該前面開口から第一大入賞口３９８ａ内へ遊技球が入らないように、遊技領域３７を前方から視認可能に被覆する透明板が配置されている。この場合、第一大入賞口３９８ａの前側に前面開口を設けることで、上面開口となる第一大入賞口３９８ａに入賞する遊技球を遊技者側から視認可能にできるので、第一大入賞口３９８ａへの入賞に対する遊技者の不信感を取り除くことができる。
【０３３６】
また、遊技領域３７内に配置されて遊技球の入賞が可能な第一乃至第三の始動口３９０，３９２，３９４と、該始動口３９０，３９２，３９４に遊技球が入賞したことを検出する第一乃至第三の始動口センサ６４４，６４６，６４８と、該始動口センサ６４４，６４６，６４８による遊技球の検出に基づいて遊技者に利益を付与すべきか否かの判定を行う当落判定手段と、遊技領域３７内に配置されて当落判定手段による判定結果を表示する演出表示装置１１５と、当落判定手段により遊技者に利益を付与すべき判定がなされたことに基づいて遊技者に利益を付与する利益付与状態に制御する利益付与状態制御手段と、を備え、利益付与状態制御手段は、第一大入賞口３９８ａに大量の遊技球が入賞し得るように、第一大入賞口３９８ａを所定の態様で閉鎖状態から開放状態に移行させて利益付与状態に制御する。この場合、始動口３９０，３９２，３９４への入賞に伴って当落判定を行い、当該当落判定の結果を演出表示装置１１５に表示すると共に当りの判定結果となったときに利益付与状態に制御して遊技者に利益を付与する構成において、第一大入賞口３９８ａへの入賞に伴って大量の賞球を遊技者に払い出すことを利益付与状態として遊技者に付与することができる。
【０３３７】
また、演出表示装置１１５の外周部分を装飾するセンター役物３００を備え、第一開閉装置３９８は、演出表示装置１１５の上側部分を装飾するセンター役物３００の上辺部に配置される。この場合、第一開閉装置３９８をセンター役物３００の上辺部に配置することで、例えば、本実施形態のように、第一開閉装置３９８内に入賞した遊技球をセンター役物３００の側辺部に設けられる演出用役物４３０（振分手段）で振り分けて、該遊技球の振り分けに応じて利益付与状態に伴う遊技価値を異ならせる等の構成とすることができる。また、このような構成とした場合、第一開閉装置３９８は遊技球の打ち込みが行われる遊技領域３７の上側に配置されることになり、第一開閉装置３９８が遊技領域３７を流下する遊技球の衝撃力をもろに受けることになるが、本発明の構成を採用することで遊技球による第一開閉装置３９８の破損及び経時変化を回避することができる。
【図面の簡単な説明】
【０３３８】
【図１】パチンコ機の外枠の一側に本体枠が開かれその本体枠の一側に前面枠が開かれた状態を示す斜視図である。
【図２】パチンコ機の前側全体を示す正面図である。
【図３】パチンコ機の本体枠と遊技盤とを分離して斜め右上前方から示す斜視図である。
【図４】パチンコ機の後側全体を示す背面図である。
【図５】パチンコ機の後側全体を右上後方から示す斜視図である。
【図６】図５に示すパチンコ機の斜視図から後カバー体および各種制御基板等を取り外した状態を示す斜視図である。
【図７】パチンコ機の本体枠に各種部材が組み付けられた状態を斜め右上後方から示す斜視図である。
【図８】本体枠単体を斜め右上後方から示す斜視図である。
【図９】各種の制御基板ボックスが装着された遊技盤を右下後方から示す斜視図である。
【図１０】遊技領域を有した遊技盤の構成を示す拡大正面図である。
【図１１】遊技盤を斜め前方から示す斜視図である。
【図１２】遊技盤を主要な構成部品毎に分解して斜め前方から示す斜視図である。
【図１３】遊技盤を主要な構成部品毎に分解して斜め後方から示す斜視図である。
【図１４】遊技盤を斜め前方から示す斜視図であって、装飾カバーを取り外すことによって第一ワープおよび第二ワープを視認可能とした斜視図である。
【図１５】第一ワープおよび第二ワープの周辺の構成を示す斜視図である。
【図１６】光透過部材と第一ワープおよび第二ワープとの位置関係を示した図である。
【図１７】図１６とは異なる位置の光透過部材の構成を示す分解斜視図である。
【図１８】図１７に係る光透過部材を含む断面図である。
【図１９】裏ユニットと演出表示装置とを組付けた状態で前方から示す斜視図である。
【図２０】図１９を後方から示す斜視図である。
【図２１】裏ユニットを後方から示す斜視図である。
【図２２】演出表示装置の背面図である。
【図２３】裏ユニットと演出表示装置等とを分解して前方から示す斜視図である。
【図２４】演出用役物を含む遊技盤の構成を示す正面図である。
【図２５】遊技盤の後方に取り付けられる裏ユニットを、正面上前方から示す斜視図である。
【図２６】遊技盤の正面図である。
【図２７】図２６におけるＡ−Ａ断面図である。
【図２８】裏ユニットを主要な部材毎に分解して前方から示す斜視図である。
【図２９】演出用役物に振分機構を備えた状態でフィギュアの正面から示す変則正面図である。
【図３０】演出用役物に振分機構を備えた状態で示す背面図である。
【図３１】図３０における平面図である。
【図３２】図３０における底面図である。
【図３３】演出用役物に振分機構を備えた状態で前方から示す斜視図である。
【図３４】演出用役物を主要な構成毎に分解して前方から示す斜視図である。
【図３５】役物回転体を示す斜視図である。
【図３６】役物回転体をフィギュアを正面として示す変則正面図である。
【図３７】役物回転体のフィギュア側を分解して示す斜視図である。
【図３８】役物回転体の装飾部材側を分解して示す斜視図である。
【図３９】役物回転体における第一演出樋の回動駆動機構を示す図である。
【図４０】図３１におけるＢ−Ｂ断面図である。
【図４１】図３１におけるＣ−Ｃ断面図である。
【図４２】図２６におけるＤ−Ｄ断面図である。
【図４３】演出用役物における遊技球の排出経路を説明するための分解斜視図である。
【図４４】第一開閉装置を左前方から示す斜視図である。
【図４５】第一開閉装置を右前方から示す斜視図である。
【図４６】第一開閉装置を分解して示す分解斜視図である。
【図４７】同図（Ａ）は第一大入賞口開閉扉の連結口と駆動伝達部材の第二片とを示す図４４におけるＥ−Ｅ断面図であり、同図（Ｂ）は第一大入賞口開閉扉の連結口と駆動伝達部材の第二片とを示す図４５におけるＦ−Ｆ断面図である。
【図４８】第一大入賞口開閉扉と上ケーシングとを示す図４５におけるＧ−Ｇ断面図である。
【図４９】第一開閉装置、役物誘導路、振分機構および演出用役物を左上方から見た斜視図である。
【図５０】役物誘導路、振分機構および演出用役物の平面図であって、遊技球が振分機構によって振り分けられる態様を示す図である。
【図５１】図５０に続く遊技球が振分機構によって振り分けられる態様を示す図である。
【図５２】図５１に続く遊技球が振分機構によって振り分けられる態様を示す図である。
【図５３】制御構成を概略的に示すブロック図であって、主基板周辺の構成を主として示した図である。
【図５４】制御構成を概略的に示すブロック図であって、周辺基板周辺の構成を主として示した図である。
【図５５】主基板による抽選および周辺基板による特別演出に拘わる機能的な構成を概略的に示す機能ブロック図である。
【図５６】演出用役物の役物回転体の内部構成を示す正面図であって、（ａ）は第一演出樋が第一の演出口に向けて下方に傾斜していることを示す図であり、（ｂ）は第一演出樋が第二演出樋誘導口に向けて下方に傾斜していることを示す図である。
【図５７】演出用役物と関連した演出画像の一例を示す説明図である。
【符号の説明】
【０３３９】
１  パチンコ機
５  遊技盤
３７  遊技領域
５０  透明板
１１５  演出表示装置
１３１  主制御基板
１７０  球払出装置
２６４  貫通孔
２６６  遊技盤ベース
２７０  裏ユニット
３００  センター役物
３７９  電飾部材
３８０  光源
３８２  ベース
３８４  ＬＥＤ
３８６  装飾カバー
３９０  第一始動口
３９２  第二始動口
３９４  第三始動口
３９８  第一開閉装置
３９８ａ  第一大入賞口
３９８ｂ  第一大入賞口開閉扉
３９８ｂａ  支持部
３９８ｂｂ  連結口
３９９  開閉扉部
３９９ａ  スライド支持部
３９９ｂ  スライド突部
４３０  演出用役物
４３２  役物回転体
４３４  フィギュア
４３８  振分機構
４４６  演出用役物ベース
４４８  回転駆動ユニット
４５０  第一閉鎖部材
４７０  第一演出樋
４７２  第二演出樋
４７６  第一の演出口
４７８  第二演出樋誘導口
４８０  第二の演出口
４８４  球振分部モータ
４９０  カバーレンズ
４９２  回動駆動機構
５００  球振分部モータセンサ
５０２  装飾部材
５０４  装飾レンズ
５０６  拡散レンズ
５４４  演出球排出流路
５４６  球排出流路センサ
５４８  第一演出球排出流路センサ
５５０  第二演出球排出流路センサ
５５２  ソレノイド
５５２ａ  プランジャー
５５４  遊技球保持部材
５６２  下ケーシング
５６２ａ  排出口
５６４  上ケーシング
５６６  開閉駆動機構
５６８ａ  プランジャー
５６８  第一大入賞口開閉ソレノイド
５７０  駆動伝達部材
５７０ａ  支持軸
５７０ｂ  第一片
５７０ｃ  第二片
５７０ｄ  軸本体
５７０ｅ  トーションバネ
５７２  第一大入賞口カウントセンサ
６００  主基板
【図１】
2008307315.tif 000003
【図２】
2008307315.tif 000004
【図３】
2008307315.tif 000005
【図４】
2008307315.tif 000006
【図５】
2008307315.tif 000007
【図６】
2008307315.tif 000008
【図７】
2008307315.tif 000009
【図８】
2008307315.tif 000010
【図９】
2008307315.tif 000011
【図１０】
2008307315.tif 000012
【図１１】
2008307315.tif 000013
【図１２】
2008307315.tif 000014
【図１３】
2008307315.tif 000015
【図１４】
2008307315.tif 000016
【図１５】
2008307315.tif 000017
【図１６】
2008307315.tif 000018
【図１７】
2008307315.tif 000019
【図１８】
2008307315.tif 000020
【図１９】
2008307315.tif 000021
【図２０】
2008307315.tif 000022
【図２１】
2008307315.tif 000023
【図２２】
2008307315.tif 000024
【図２３】
2008307315.tif 000025
【図２４】
2008307315.tif 000026
【図２５】
2008307315.tif 000027
【図２６】
2008307315.tif 000028
【図２７】
2008307315.tif 000029
【図２８】
2008307315.tif 000030
【図２９】
2008307315.tif 000031
【図３０】
2008307315.tif 000032
【図３１】
2008307315.tif 000033
【図３２】
2008307315.tif 000034
【図３３】
2008307315.tif 000035
【図３４】
2008307315.tif 000036
【図３５】
2008307315.tif 000037
【図３６】
2008307315.tif 000038
【図３７】
2008307315.tif 000039
【図３８】
2008307315.tif 000040
【図３９】
2008307315.tif 000041
【図４０】
2008307315.tif 000042
【図４１】
2008307315.tif 000043
【図４２】
2008307315.tif 000044
【図４３】
2008307315.tif 000045
【図４４】
2008307315.tif 000046
【図４５】
2008307315.tif 000047
【図４６】
2008307315.tif 000048
【図４７】
2008307315.tif 000049
【図４８】
2008307315.tif 000050
【図４９】
2008307315.tif 000051
【図５０】
2008307315.tif 000052
【図５１】
2008307315.tif 000053
【図５２】
2008307315.tif 000054
【図５３】
2008307315.tif 000055
【図５４】
2008307315.tif 000056
【図５５】
2008307315.tif 000057
【図５６】
2008307315.tif 000058
【図５７】
2008307315.tif 000059